(57)【要約】本発明では、記録媒体に記録する情報と一致する標示を行うことを課題とする。記録再生装置（１０）は、記録媒体（２０）が格納するコンテンツを記録媒体（２０）上に標示する装置であって、コンテンツを標示するためのラベル情報を取得する制御部（１１）と、ラベル情報を記録媒体（２０）上に標示する印刷部（１２）と、を備える。【特許請求の範囲】
【請求項１】
記録媒体が格納する情報（以下、格納情報）を前記記録媒体上に標示する方法であって、
前記格納情報に対応した情報であって、前記格納情報を標示するための標示情報を取得する標示情報取得ステップと、
前記標示情報を前記記録媒体上に標示する標示ステップと、
を備える標示方法。
【請求項２】
前記標示ステップは、前記標示情報を前記記録媒体上に印刷するステップである、
請求項１に記載の標示方法。
【請求項３】
前記標示情報取得ステップは、前記格納情報に基づいて、前記標示情報を生成するステップである、
請求項１に記載の標示方法。
【請求項４】
前記記録媒体に格納前または格納中の前記格納情報を取得する格納情報取得ステップ、
をさらに備え、
前記標示情報取得ステップは、取得された前記格納情報に基づいて、前記標示情報を生成するステップである、
請求項３に記載の標示方法。
【請求項５】
前記記録媒体に格納済みの前記格納情報を再生する再生ステップ、
をさらに備え、
前記標示情報取得ステップは、再生された前記格納情報に基づいて、前記標示情報を生成するステップである、
請求項３に記載の標示方法。
【請求項６】
記録媒体が格納する情報（以下、格納情報）を前記記録媒体上に標示するための標示情報を記録する方法であって、
前記格納情報に対応した前記標示情報を取得する標示情報取得ステップと、
前記標示情報を前記記録媒体と対応付けて記録する記録ステップと、
を備える記録方法。
【請求項７】
前記標示情報は、前記格納情報を前記記録媒体上に印刷するための情報である、
請求項６に記載の記録方法。
【請求項８】
前記記録ステップは、前記標示情報を前記記録媒体の情報記録面に記録するステップである、
請求項６に記載の記録方法。
【請求項９】
前記記録ステップは、前記標示情報を前記記録媒体を特定するための情報とともに記録するステップである、
請求項６に記載の記録方法。
【請求項１０】
前記記録ステップにより記録された前記標示情報は、前記格納情報の変更に応じて、変更可能である、
請求項６に記載の記録方法。
【請求項１１】
記録媒体が格納する情報（以下、格納情報）を前記記録媒体上に標示する装置であって、
前記格納情報を標示するための標示情報を取得する標示情報取得手段と、
前記標示情報を前記記録媒体上に標示する標示手段と、
を備える標示装置。
【請求項１２】
前記標示手段は、前記標示情報を前記記録媒体上に印刷する手段である、
請求項１１に記載の標示装置。
【請求項１３】
前記標示情報取得手段は、前記格納情報に基づいて、前記標示情報を生成する手段である、
請求項１１に記載の標示装置。
【請求項１４】
前記記録媒体に格納前または格納中の前記格納情報を取得する格納情報取得手段、
をさらに備え、
前記標示情報取得手段は、取得された前記格納情報に基づいて、前記標示情報を生成する手段である、
請求項１３に記載の標示装置。
【請求項１５】
前記記録媒体に格納済みの前記格納情報を再生する再生手段、
をさらに備え、
前記標示情報取得手段は、再生された前記格納情報に基づいて、前記標示情報を生成する手段である、
請求項１３に記載の標示装置。
【請求項１６】
記録媒体が格納する情報（以下、格納情報）を前記記録媒体上に標示するための標示情報を記録する装置であって、
前記標示情報を取得する標示情報取得手段と、
前記標示情報を前記記録媒体と対応付けて記録する記録手段と、
を備える記録装置。
【請求項１７】
前記標示情報は、前記格納情報を前記記録媒体上に印刷するための情報である、
請求項１６に記載の記録装置。
【請求項１８】
前記記録手段は、前記標示情報を前記記録媒体の情報記録面に記録する手段である、
請求項１６に記載の記録装置。
【請求項１９】
前記記録手段は、前記標示情報を前記記録媒体を特定するための情報とともに記録する手段である、
請求項１６に記載の記録装置。
【請求項２０】
前記記録手段により記録された前記標示情報は、前記格納情報の変更に応じて、変更可能である、
請求項１６に記載の記録装置。
【請求項２１】
格納する情報（以下、格納情報）が標示された記録媒体であって、
前記格納情報と、
前記格納情報を標示するための標示情報と、
が記録された記録媒体。
【請求項２２】
前記標示情報は、前記格納情報の変更に応じて、変更可能である、
請求項２１に記載の記録媒体。
【発明の詳細な説明】
【技術分野】
【０００１】  本発明は、標示方法、記録方法、標示装置、記録装置および記録媒体、特に記録媒体が格納する情報を記録媒体上に標示する標示方法および標示装置、記録媒体が格納する情報を記録媒体上に標示するための標示情報を記録する記録方法および記録装置、格納する情報が標示された記録媒体、に関する。
【背景技術】
【０００２】  近年、ＣＤやＤＶＤといった記録媒体を用いた記録を手軽に行う環境が整ってきている。例えば、このような記録媒体を用いたマルチメディアの記録などが盛んに行われている。
このような環境において、ユーザは、記録媒体に記録された情報が一目で分かるように、記録された情報を記録媒体上に標示する。
例えば、ユーザは、手書きにより記録媒体上にラベルを付ける、あるいは手入力した情報に基づいて記録媒体に付けるラベルを印刷する。このようなラベル印刷を行うためのプリンタに関する技術が知られている（例えば、特許文献１参照。）。
また、記録された情報を標示するための別の技術として、情報記録面に視認可能に文字や図形を書き込む技術も知られている（例えば、特許文献２参照。）。
【特許文献１】特開２００３−１９８２８号公報
【特許文献２】特許第３５７７００５号公報
【発明の開示】
【０００３】  （発明が解決しようとする課題）
ところで、上記従来の技術では、記録媒体上に標示された情報と、実際に記録媒体に記録されている情報とが一致していないことがある。例えば、記録媒体に記録されている情報が更新されているのに、それに伴ってラベルが更新されていないなどということが起こり得る。このような不一致は、記録媒体の管理などを煩雑にする。
そこで、本発明は、記録媒体に記録する情報と一致する標示を行うことを課題とする。
（課題を解決するための手段）
請求項１に記載の標示方法は、記録媒体が格納する情報（以下、格納情報）を記録媒体上に標示する方法であって、標示情報取得ステップと、標示ステップとを備えている。標示情報取得ステップは、格納情報に対応した情報であって、格納情報を標示するための標示情報を取得する。標示ステップは、標示情報を記録媒体上に標示する。
ここで、記録媒体が格納する情報とは、記録媒体に既に格納済みの情報だけでなく、格納途中の情報や格納前の情報などであってもよい（以下、本欄において同じ）。
また、標示とは、記録媒体の情報記録面とは反対の面（ラベル面）上に標示情報を印刷その他の方法で示すことや情報記録面上に標示情報を視認可能に示すことを含んでいる（以下、本欄において同じ）。
また、格納情報とは、マルチメディア情報などのいわゆるコンテンツやその管理情報などを含んでいてもよい（以下、本欄において同じ）。
また、標示情報とは、記録媒体上に標示される画像そのものや、格納情報を示す文字情報あるいは画像情報などを含んでいてもよい。標示情報が格納情報を示す文字情報あるいは画像情報などである場合には、文字情報や画像情報の記録媒体上での標示位置を示す情報をさらに含んでいてもよい（以下、本欄において同じ）。この場合には、標示情報は、例えば、ページ記述言語と呼ばれる言語で表現された印刷イメージを生成するためのデータであってもよい。
本発明の標示方法では、格納情報に対応した標示情報を記録媒体上に標示する。このため、記録媒体が格納する格納情報と標示情報とを一致させることが可能となる。
請求項２に記載の標示方法は、請求項１に記載の標示方法であって、標示ステップは、標示情報を記録媒体上に印刷するステップである。
本発明の標示方法では、標示情報が記録媒体上に印刷される。このため、記録媒体が格納する格納情報と印刷された標示情報とを一致させることが可能となる。
請求項３に記載の標示方法は、請求項１に記載の標示方法であって、標示情報取得ステップは、格納情報に基づいて、標示情報を生成するステップである。
本発明の標示方法では、格納情報に基づいて標示情報を生成する。このため、格納情報と標示情報とを一致させることが可能となる。
請求項４に記載の標示方法は、請求項３に記載の標示方法であって、記録媒体に格納前または格納中の格納情報を取得する格納情報取得ステップをさらに備えている。標示情報取得ステップは、取得された格納情報に基づいて、標示情報を生成するステップである。
本発明の標示方法では、格納前または格納中の格納情報に基づいて、標示情報を生成する。このため、例えば、格納情報を記録媒体に記録しつつ、対応した標示情報を記録媒体に標示することなどが可能となる。
請求項５に記載の標示方法は、請求項３に記載の標示方法であって、記録媒体に格納済みの格納情報を再生する再生ステップをさらに備えている。標示情報取得ステップは、再生された格納情報に基づいて、標示情報を生成するステップである。
本発明の標示方法では、再生された格納情報に基づいて、標示情報を生成する。このため、記録媒体が格納する格納情報と一致した標示情報を標示することが可能となる。
請求項６に記載の記録方法は、記録媒体が格納する情報（以下、格納情報）を記録媒体上に標示するための標示情報を記録する方法であって、標示情報取得ステップと、記録ステップとを備えている。標示情報取得ステップは、格納情報に対応した標示情報を取得する。記録ステップは、標示情報を記録媒体と対応付けて記録する。
本発明の記録方法では、格納情報に対応した標示情報を取得し、標示情報を記録媒体と対応付けて記録する。このため、例えば、標示情報が記録媒体上に標示される場合に、記録媒体が格納する格納情報と一致した標示情報を利用可能となる。
請求項７に記載の記録方法は、請求項６に記載の記録方法であって、標示情報は、格納情報を記録媒体上に印刷するための情報である。
本発明の記録方法では、例えば、記録媒体が格納する格納情報と一致した標示情報を印刷することが可能となる。
請求項８に記載の記録方法は、請求項６に記載の記録方法であって、記録ステップは、標示情報を記録媒体の情報記録面に記録するステップである。
本発明の記録方法では、標示情報を記録媒体の情報記録面に記録することにより、標示情報を記録媒体と対応付けている。このため、記録媒体が格納する格納情報と一致した標示情報を利用することが可能となる。
請求項９に記載の記録方法は、請求項６に記載の記録方法であって、記録ステップは、標示情報を記録媒体を特定するための情報とともに記録するステップである。
ここで、記録媒体を特定するための情報とは、例えば、記録媒体それぞれに付されたディスクＩＤなどである。
本発明の記録方法では、標示情報を記録媒体を特定するための情報とともに記録することにより、標示情報を記録媒体と対応付けている。このため、記録媒体が格納する格納情報と一致した標示情報を利用することが可能となる。
請求項１０に記載の記録方法は、請求項６に記載の記録方法であって、記録ステップにより記録された標示情報は、格納情報の変更に応じて、変更可能である。
本発明の記録方法では、例えば、格納情報が変更された場合でも、記録媒体が格納する格納情報と一致した標示情報を利用することが可能となる。
請求項１１に記載の標示装置は、記録媒体が格納する情報（以下、格納情報）を記録媒体上に標示する装置であって、標示情報取得手段と、標示手段とを備えている。標示情報取得手段は、格納情報を標示するための標示情報を取得する。標示手段は、標示情報を記録媒体上に標示する。
ここで、記録媒体が格納する情報とは、記録媒体に既に格納済みの情報だけでなく、格納途中の情報や格納前の情報などであってもよい。
標示とは、記録媒体の情報記録面とは反対の面（ラベル面）上に標示情報を印刷その他の方法で示すことや情報記録面上に標示情報を示すことを含む。
ここで、格納情報とは、マルチメディア情報などのいわゆるコンテンツやその管理情報などを含んでいてもよい。
格納情報を標示するための標示情報を記録媒体上に標示するため、記録媒体が格納する格納情報と標示情報とを一致させることが可能となる。
請求項１２に記載の標示装置は、請求項１１に記載の標示装置であって、標示手段は、標示情報を記録媒体上に印刷する手段である。
本発明の標示装置では、標示情報が記録媒体上に印刷される。このため、記録媒体が格納する格納情報と印刷された標示情報とを一致させることが可能となる。
請求項１３に記載の標示装置は、請求項１１に記載の標示装置であって、標示情報取得手段は、格納情報に基づいて、標示情報を生成する手段である。
本発明の標示装置では、格納情報に基づいて標示情報を生成する。このため、格納情報と標示情報とを一致させることが可能となる。
請求項１４に記載の標示装置は、請求項１３に記載の標示装置であって、記録媒体に格納前または格納中の格納情報を取得する格納情報取得手段をさらに備えている。標示情報取得手段は、取得された格納情報に基づいて、標示情報を生成する手段である。
本発明の標示装置では、格納前または格納中の格納情報に基づいて、標示情報を生成する。このため、例えば、格納情報を記録媒体に記録しつつ、対応した標示情報を記録媒体に標示することなどが可能となる。
請求項１５に記載の標示装置は、請求項１３に記載の標示装置であって、記録媒体に格納済みの格納情報を再生する再生手段をさらに備えている。標示情報取得手段は、再生された格納情報に基づいて、標示情報を生成する手段である。
本発明の標示装置では、再生された格納情報に基づいて、標示情報を生成する。このため、記録媒体が格納する格納情報と一致した標示情報を標示することが可能となる。
請求項１６に記載の記録装置は、記録媒体が格納する情報（以下、格納情報）を記録媒体上に標示するための標示情報を記録する装置であって、標示情報取得手段と、記録手段とを備えている。標示情報取得手段は、標示情報を取得する。記録手段は、標示情報を記録媒体と対応付けて記録する。
本発明の記録装置では、格納情報に対応した標示情報を取得し、標示情報を記録媒体と対応付けて記録する。このため、例えば、標示情報が記録媒体上に標示される場合に、記録媒体が格納する格納情報と一致した標示情報を利用可能となる。
請求項１７に記載の記録装置は、請求項１６に記載の記録装置であって、標示情報は、格納情報を記録媒体上に印刷するための情報である。
本発明の記録装置では、例えば、記録媒体が格納する格納情報と一致した標示情報を印刷することが可能となる。
請求項１８に記載の記録装置は、請求項１６に記載の記録装置であって、記録手段は、標示情報を記録媒体の情報記録面に記録する手段である。
本発明の記録装置では、標示情報を記録媒体の情報記録面に記録することにより、標示情報を記録媒体と対応付けている。このため、記録媒体が格納する格納情報と一致した標示情報を利用することが可能となる。
請求項１９に記載の記録装置は、請求項１６に記載の記録装置であって、記録手段は、標示情報を記録媒体を特定するための情報とともに記録する手段である。
ここで、記録媒体を特定するための情報とは、例えば、記録媒体それぞれに付されたディスクＩＤなどである。
本発明の記録装置では、標示情報を記録媒体を特定するための情報とともに記録することにより、標示情報を記録媒体と対応付けている。このため、記録媒体が格納する格納情報と一致した標示情報を利用することが可能となる。
請求項２０に記載の記録装置は、請求項１６に記載の記録装置であって、記録手段により記録された標示情報は、格納情報の変更に応じて、変更可能である。
本発明の記録装置では、例えば、格納情報が変更された場合でも、記録媒体が格納する格納情報と一致した標示情報を利用することが可能となる。
請求項２１に記載の記録媒体は、格納する情報（以下、格納情報）が標示された記録媒体であって、格納情報と、格納情報を標示するための標示情報と、が記録されている。
本発明の記録媒体では、格納情報と一致した標示情報を利用することが可能となる。
請求項２２に記載の記録媒体は、請求項２１に記載の記録媒体であって、標示情報は、格納情報の変更に応じて、変更可能である。
本発明の記録媒体では、格納情報が変更された場合でも、記録媒体が格納する格納情報と一致した標示情報を利用することが可能となる。
（発明の効果）
本発明では、記録媒体に記録する情報と一致する標示を行うことが可能となる。
【図面の簡単な説明】
【０００４】
【図１】記録再生装置の構成を示す構造説明図
【図２】ラベル情報生成機能について説明するフローチャート
【図３】ラベル印刷機能について説明するフローチャート
【図４】ラベル印刷機能について説明する説明図
【図５】ラベル情報記録機能について説明するフローチャート
【図６】ラベル印刷機能の変形例について説明する説明図
【図７】ラベル情報について説明する説明図
【図８】ラベル印刷機能の変形例について説明する説明図
【図９】ラベル情報について説明する説明図
【図１０】ラベル印刷機能の変形例について説明する説明図
【図１１】ラベル情報について説明する説明図
【符号の説明】
【０００５】  １０    記録再生装置
１１    制御部
１２    印刷部
１２ａ  印刷機構
１２ｂ  印刷機構駆動部
１３    記録再生部
１３ａ  記録再生機構
１３ｂ  記録再生機構駆動部
１４    記憶部
１５    外部インターフェース
２０    記録媒体
６１    第１領域
６２    第２領域
６３    第３領域
【発明を実施するための最良の形態】
【０００６】  以下、本発明の実施形態として、記録媒体のラベルを印刷するラベル印刷装置について説明する。ラベル印刷装置は、例えば、ＣＤ，ＤＶＤなどの円盤状の記録媒体の情報記録面とは反対側のラベル面に、記録媒体が記録する情報（以下、コンテンツ）を示すラベルを印刷する装置である。
本発明のラベル印刷装置は、（１）記録媒体へのコンテンツ記録時に、コンテンツあるいはコンテンツの管理情報からラベル印刷のためのラベル情報を生成する機能（ラベル情報生成機能）、（２）生成された、あるいは記録されたラベル情報を用いてラベル印刷する機能（ラベル印刷機能）、（３）ラベル印刷のためのラベル情報を記録媒体あるいはラベル印刷装置の記憶部などに記録する機能（ラベル情報記録機能）、を備えている点に特徴を有している。
なお、ラベル印刷装置は、単独で印刷装置として用いられるものであってもよいが、ＣＤ，ＤＶＤなどの記録媒体への記録・再生を行う装置に備えられるものであってもよい。以下、記録媒体の記録再生装置において備えられるラベル印刷装置について説明を行う。
〈構成〉
図１に本発明の第１実施形態としての記録再生装置１０を示す。記録再生装置１０は、ＣＤ，ＤＶＤなどの記録媒体２０に対して、映像・音声などマルチメディア情報を記録・再生する装置である。記録再生装置１０は、装置全体の制御を司る制御部１１、記録媒体２０へのラベル印刷を行う印刷部１２、記録媒体２０に対して情報の記録・再生を行う記録再生部１３、例えばハードディスクなどで構成される記憶部１４、外部からマルチメディア情報やその管理情報などを取得する外部インターフェース（ＩＦ）１５、から主に構成されている。
制御部１１は、例えば、マイクロプロセッサと呼ばれる半導体チップなどで構成され、図示しないメモリ（例えば、ＲＡＭやＲＯＭなど）に記憶されたプログラムを実行する装置である。制御部１１は、記録再生装置１０としての基本的な機能を果たすためのプログラムを実行するとともに、本発明の特徴である（１）ラベル情報生成機能、（２）ラベル印刷機能、（３）ラベル情報記録機能などを果たすためのプログラムを実行する。プログラムの詳細については、後述するが、制御部１１は、記録再生装置１０の各部から受け取ったデータを演算・加工することによりこれらの機能を実現する。
印刷部１２は、印刷を実行する印刷機構１２ａと、印刷機構１２ａを駆動する印刷機構駆動部１２ｂとから構成される。印刷機構駆動部１２ｂは、ラベル印刷のためのラベル情報を取得し、印刷機構１２ａを駆動する。
ここで、印刷機構１２ａは、どのような方式のものであってもよい。例えば、印字ヘッドとして、インパクト方式を採用するものであってもよいし、ノンインパクト方式を採用するものであってもよい。さらに、ノンインパクト方式を採用する場合には、熱転写方式、インクジェット方式、レーザー方式のいずれの方式により印刷を行うものであってもよい。また、印字ヘッドの駆動方式としては、印字ヘッドが記録媒体上を直径方向に相対的に走査するとともに、走査方向に直交する方向に相対的に印字ヘッドが送られる方式（直交座標走査）であってもよいし、印字ヘッドが記録媒体上を半径方向に相対的に走査するとともに記録媒体の周方向に相対的に印字ヘッドが送られる方式（極座標走査）であってもよい。
記録再生部１３は、記録再生を実行する記録再生機構１３ａと、記録再生機構１３ａを駆動する記録再生機構駆動部１３ｂとから構成される。
記録再生機構１３ａは、主には、記録媒体駆動機構、光ピックアップ機構により構成される。記録媒体駆動機構は、シャーシ（図示せず）に装備されたスピンドルモータ（図示せず）により回転されるターンテーブル（図示せず）を備えている。ターンテーブルの中央には、記録媒体２０の装着時において、記録媒体２０の中心孔に着脱自在に嵌合しつつ、記録媒体２０の調芯を行う凸部が形成されている。光ピックアップ機構は、光ピックアップおよびその駆動機構を備え、ターンテーブルに装着されて所定の速度で回転される記録媒体２０の情報記録面側を、ディスクの径方向に移動する。光ピックアップ機構は、例えば、情報の再生を行う場合、記録媒体２０の情報記録面にレーザビームを照射し、検出された反射ビームを電気信号に変換するとともに、図示しないヘッドアンプでＲＦ信号を生成する。生成されたＲＦ信号は、記録再生機構駆動部１３ｂが備える信号処理回路（図示せず）で復調処理される。
記録再生機構駆動部１３ｂは、記録再生機構１３ａを駆動し、記憶部１４や外部ＩＦ１５を介して取得されるコンテンツやその管理情報を記録媒体２０に記録する。また、記録再生機構１３ａを駆動し、記録媒体２０に記録されている情報を再生する。
記憶部１４は、例えば、記録再生部１３や外部ＩＦ１５を介して取得されるコンテンツやその管理情報を記憶する装置であり、ハードディスクなどの大容量記憶装置により実現される。
外部ＩＦ１５は、無線あるいは有線により通信網と接続され、外部からコンテンツやその管理情報などを取得する装置や、放送を受信しコンテンツやその管理情報などを取得する装置などである。外部ＩＦ１５により取得されたデータは、記録再生部１３により記録媒体２０に記録することもできるし、記憶部１４に記録することもできる。
以上の構成において、記録再生装置１０は、記録媒体２０が格納するコンテンツを記録媒体２０上に標示する。制御部１１と印刷部１２とは、コンテンツを標示するためのラベル情報を取得する標示情報取得手段を構成する。印刷部１２は、ラベル情報を記録媒体２０上に標示する標示手段を構成する。また、制御部１１は、記録媒体２０に格納前のコンテンツを取得する格納情報取得手段を構成する。また、記録再生部１３は、記録媒体２０に格納済みのコンテンツを再生する再生手段を構成する。また、記録再生部１３、記憶部１４、外部ＩＦ１５などは、ラベル情報を記録媒体２０と対応付けて記録する記録手段を構成する。
〈作用〉
図１に示した構成において、制御部１１は、記録再生装置１０としての基本的な機能を果たすためのプログラムを実行し、記録再生部１３、記憶部１４、外部ＩＦ１５を動作させる。記録媒体２０や記憶部１４に対する情報の記録や再生については、従来と同様であるため、詳しい説明を省略する。以下では、本発明の特徴である（１）ラベル情報生成機能、（２）ラベル印刷機能、（３）ラベル情報記録機能などについて詳しく説明する。
（１）ラベル情報生成機能
まず、記録媒体２０へのコンテンツ記録時に、コンテンツあるいはコンテンツの管理情報からラベル印刷のためのラベル情報を生成する機能について説明する。なお、説明は、主には図１に基づいて行い、必要に応じて図２のフローチャートを参照する。
ユーザが記録媒体２０へのコンテンツの記録を図示しない入力部などにより指令すると、制御部１１は、記憶部１４が記憶するコンテンツまたは外部ＩＦ１５を介して取得されるコンテンツの記録媒体２０への記録を開始する（ステップＳ３１）。以下、説明の簡単化のため、記憶部１４が記憶するコンテンツが記録媒体２０へ記録される場合について説明するが、外部ＩＦ１５からコンテンツが取得される場合の処理も同様である。
制御部１１は、記憶部１４がコンテンツとともに記憶しているコンテンツの管理情報を取得する（ステップＳ３２）。コンテンツの管理情報とは、例えば、それぞれのコンテンツの内容を示す名前（番組名など）、コンテンツを示すサムネイル、などの情報であり、記録媒体２０にコンテンツが記録される場合には、ＴＯＣ（Ｔａｂｌｅ  Ｏｆ  Ｃｏｎｔｅｎｔｓ）として記録される内容などである。なお、外部ＩＦ１５からコンテンツが取得される場合には、コンテンツの管理情報は、ＥＰＧ（Ｅｌｅｃｔｒｉｃ  Ｐｒｏｇｒａｍ  Ｇｕｉｄｅ）から取得されてもよい。
次に、制御部１１は、取得した管理情報から印刷に適したラベル情報を生成する（ステップＳ３３）。このラベル情報は、例えば、管理情報を示す文字情報や画像情報などのマルチメディア情報と、マルチメディア情報を印刷するための属性情報とを含んでいる。属性情報とは、文字情報のフォント情報や、マルチメディア情報の印刷位置に関する情報を含んでいる。より具体的には、ラベル情報は、マークアップ言語で記述されていてもよい。
なお、生成されたラベル情報と記録されたコンテンツとが一致する限り、上記ラベル情報の生成は、コンテンツが記録媒体２０に記録される前に行われてもよいし、記録される途中に行われてもよいし、記録された後に行われてもよい。
（２）ラベル印刷機能
次に、（１）ラベル情報生成機能で生成されたラベル情報を用いてラベル印刷する機能について説明する。なお、説明は、主には図１に基づいて行い、必要に応じて図３のフローチャートや図４の説明図を参照する。
まず、制御部１１は、記録媒体２０の所定の領域を再生し、記録媒体２０に古いラベル情報が記録されているか否かを確認する（ステップＳ４１）。ここで、記録媒体２０に既にラベル印刷されている場合とは、後述する（３）ラベル情報記録機能により、記録媒体２０には既に印刷されている古いラベル情報が記録されているような場合のことである。
既に古いラベル情報が記録されている場合（図４（ａ）および（ａ’）参照）、制御部１１は、記録媒体２０から古いラベル情報を取得するとともに、（１）ラベル情報生成機能で生成したラベル情報を追加し、新しいラベル情報を生成する（ステップＳ４２および図４（ｂ）参照）。さらに、制御部１１は、印刷部１２を制御し、記録媒体２０に印刷されている古いラベルを消去する（ステップＳ４３および図４（ｃ）参照）。ここで、消去は、例えば、ラベル面全面をラベル面の背景色（例えば、白色）で塗りつぶすことにより行う。なお、消去方法は、これに限らず、例えば、ラベル面を加熱または冷却することにより印刷状態と消去状態を可逆変化させることが可能な場合には、ラベル面の特定箇所を加熱または冷却することにより印刷を消去してもよい。
さらに、印刷部１２は、制御部１１がステップＳ４２で生成した新しいラベル情報を取得し、ラベル印刷を行う（ステップＳ４４および図４（ｄ）参照）。
一方、ステップＳ４１の判断の結果、古いラベル情報が記録されていない場合、印刷部１２は、制御部１１がステップＳ３３（図２参照）で生成したラベル情報を取得し、ラベル印刷を行う（ステップＳ４４）。
なお、管理情報に対応するラベル情報をラベルに印刷してもよい。ここで、管理情報に対応するラベル情報とは、例えば、コンテンツのサイズ、再生時間、画質などである。
（３）ラベル情報記録機能
次に、（１）ラベル情報生成機能で生成されたラベル情報を記録媒体２０に記録する機能について説明する。なお、説明は、主には図１に基づいて行い、必要に応じて図５のフローチャートや図４の説明図を参照する。
制御部１１は、ステップＳ３３（図２参照）で生成したラベル情報を記録媒体２０の所定の領域に記録する（ステップＳ５１）。ここで、記録媒体２０に既に古いラベル情報が記録されている場合（図４（ａ’）参照）には、古いラベル情報に追記してステップＳ３３で生成したラベル情報を記録する（図４（ｄ’）参照）。
なお、ラベル情報の記録は、古いラベル情報が記録された領域に上書きされてもよい。
なお、ディスクの内周部などにラベル情報を記録するための専用領域が設けられていてもよい。専用領域が設けられていることにより、速やかにラベル情報を取得することができる。
ここで、ステップＳ３３で生成したラベル情報が用いられる限り、（３）ラベル情報記録機能の処理は、（２）ラベル印刷機能の処理の後に行われてもよいし、処理の前もしくは途中に行われてもよい。これにより、記録媒体２０の情報記録面に記録されるラベル情報と、ラベル印刷面に印刷されるラベル情報とが一致する。
〈効果〉
（１）ラベル情報生成機能について
記録再生装置１０では、コンテンツの記録に際して、コンテンツの管理情報からラベル情報を生成する。このため、記録されるコンテンツとラベル情報とを一致させることが可能となる。
（２）ラベル印刷機能について
記録再生装置１０では、ラベル情報を用いて、ラベル印刷を行う。ラベル情報は、記録媒体２０に記録されるコンテンツの管理情報から生成されている。このため、記録媒体２０に記録されるコンテンツとラベル印刷されたラベル情報とを一致させることが可能となる。
（３）ラベル情報記録機能について
記録再生装置１０では、生成されたラベル情報を記録媒体２０に記録する。すなわち、生成したラベル情報を記録媒体２０と対応付けて記録する。このため、記録媒体２０のコンテンツと一致するラベル情報を利用することが可能となる。例えば、記録再生装置１０以外の装置においても、記録媒体２０に記録されたラベル情報を利用してラベル印刷を行うことが可能となる。
〈変形例〉
上記実施形態は、本発明の一例であり、様々な変形が可能である。以下、それらの変形の一例を示す。
（１）ラベル情報生成機能について
（１−１）
ラベル情報を生成するためのコンテンツの管理情報は、記録媒体２０から取得されるものであってもよい。
具体的には、ＣＤ，ＤＶＤなどの光ディスクには、例えばそのリードイン領域において、ＴＯＣが記述されている。ＴＯＣは、ディスクの全トラックのアドレス、トラックナンバー、トラック時間、タイトルなどの情報を含んでいる。ＴＯＣは、コンテンツの記録終了処理の際にリードイン領域に記述される。
制御部１１は、記録媒体２０に対するコンテンツ及びコンテンツ管理情報の記録が終了すると、記録再生部１３にリードイン領域を再生させ、コンテンツの管理情報としてのＴＯＣを取得する。さらに、制御部１１は、ＴＯＣに記述されている情報にラベル印刷のための属性情報を付加し、ラベル情報を生成し、このラベル情報を用いて、ラベル印刷を行う。
本変形例では、既に記録媒体２０に記録されているコンテンツの管理情報を用いてラベル印刷を行うため、記録媒体２０に記録されているコンテンツとラベル印刷されたラベル情報とを一致させることが可能となる。
特に、記録媒体２０が追記できる記録媒体である場合には、新しく記録されるコンテンツだけでなく、既に記録されているコンテンツに対する管理情報もＴＯＣに含まれているため、より簡易な装置構成あるいは処理でラベル印刷をすることが可能となる。より具体的には、ＴＯＣを用いて生成されたラベル情報を用いたラベル印刷では、図３に示したステップＳ４１やステップＳ４２の処理を行わなくてもよい。
ここで、ラベル情報の生成について、さらに詳しく説明する。ラベル情報は、例えば、ページ記述言語と呼ばれる言語で表現されたデータなどであってもよい。この場合、制御部１１は、ＴＯＣに記述されているコンテンツのタイトルなどの情報を取得するとともに、それぞれのタイトルを印字するためのフォントを、デフォルトのフォント、あるいは逐次ユーザにより選択されたフォントに設定する。さらに、印刷すべきコンテンツのタイトルを、予め定めた領域に順次割り付ける。より具体的には、印刷すべきコンテンツのタイトルを、予め周方向に分割した複数の扇形領域に順次割り付ける。これにより、コンテンツ毎に、「タイトル」「フォント」「位置情報」を含むラベル情報を生成する。
制御部１１は、このように生成されたラベル情報を解析し、記録媒体２０上にラベル印刷される印刷イメージを生成する。さらに、この印刷イメージが印刷機構駆動部１２ｂに与えられ、ラベル印刷が行われる。
（１−２）
ラベル情報を生成するために記録媒体２０に記録されているコンテンツが用いられてもよい。
具体的には、例えば、記録媒体２０に映像情報が記録されている場合、トラック毎のサムネイルを取得し、ラベル情報としてもよい。このサムネイルは、例えば、各トラックの開始から所定時間経過後の画像（例えば、３０秒、１分、５分後の画像など）の縮小画像として自動により選択されてもよいし、手動により選択されてもよい。また、自動により選択される場合には、各トラックを特徴付ける特別な画像が選択されてもよい。特別な画像とは、例えば、スポーツ映像が記録されている場合には、得点シーンなどといった画像であり、音声を解析することやコンテンツに付されたタグ情報を解析することにより自動検出される。
また、トラック毎のサムネイルに対して画像処理を行うことにより、トラックのタイトルを抽出し、ラベル情報を生成してもよい。
本変形例では、記録媒体２０に記録されているコンテンツに基づいてラベル情報を生成するため、印刷されたラベル情報と記録されているコンテンツとを一致させることができる。また、サムネイルなどを印刷することで、よりユーザにとって認識しやすいラベルを印刷することが可能となる。
（１−３）
ラベル情報は、記憶部１４や外部ＩＦ１５を介して取得されるものであってもよい。
この場合、記憶部１４や外部ＩＦ１５を介して接続されるサーバなどには、記録媒体２０に固有の情報であるディスクＩＤと、ラベル情報とが関連づけられて記憶されている。
制御部１１は、記録再生装置１０に装着された記録媒体２０からディスクＩＤを取得し、さらにそのディスクＩＤに対応するラベル情報を記憶部１４や外部ＩＦ１５を介して取得する。また、記録媒体２０へ記録されるコンテンツに応じて、記憶部１４や外部ＩＦ１５に記憶されるラベル情報は更新されてもよい。
本変形例では、記録媒体２０に固有のディスクＩＤに対応したラベル情報を取得するため、記録媒体２０に記録されるコンテンツと一致するラベル情報を取得することが可能となる。
また、ラベル情報は、記録媒体２０上に設けられたＩＣタグに記憶されていてもよい。この場合、記録再生装置１０は、ＩＣタグに記憶された情報を取得し、取得した情報を制御部１１に与えるＩＣタグ通信部をさらに備えるものであってもよい。
（２）ラベル印刷機能について
（２−１）
上記実施形態では、制御部１１は、ラベル印刷前に既に印刷されているラベルを消去すると記載した（例えば、図３ステップＳ４３参照）。一方、制御部１１は、ラベル印刷の際に、既に印刷されているラベルに追加して新しいラベル情報を印刷してもよい。
この際、新しく印刷されるラベルが既に印刷されているラベルに重ならないよう調整することが求められる。このような調整には、《１》既にラベル情報が印刷されている位置を特定する手段と、《２》ラベル情報が印刷されていない箇所に印字ヘッドを位置決めする手段とが必要とされる。
具体的には、本変形例では、《１》ＴＯＣに基づいてラベル情報が印刷されている位置（されていない位置）を特定し、《２》記録再生機構１３ａの光ピックアップと印刷機構１２ａの印字ヘッドとの位置関係を予め規定することにより印字ヘッドを位置決めする。以下、これについて詳しく説明する。
《１》ラベル情報が印刷されている位置の特定について
既にラベル情報が印刷されている位置は、記録媒体２０のＴＯＣに基づいて判断される。これについて、図６を用いて説明する。
まず、制御部１１は、記録媒体２０へのコンテンツ記録前に、記録媒体２０のリードイン領域に記録されているＴＯＣを再生する（図６（ａ））。これにより、記録媒体２０が記録するそれぞれのコンテンツに対する管理情報が取得できる。例えば、図６（ａ）に示すように、記録媒体２０が記録するコンテンツＡとコンテンツＢとのタイトルなどが取得できる。
本変形例では、それぞれのコンテンツのラベル情報は、記録媒体２０のラベル面を複数に分割したそれぞれの領域（第１領域６１〜第ｎ領域６ｎ）に順次印刷されるとする。例えば、記録媒体２０にコンテンツＡとコンテンツＢとが記録されている場合、図６（ｂ）に示すように、コンテンツＡとコンテンツＢとを示すラベルは、ラベル面を複数に分割したそれぞれの領域に印刷されている。より具体的には、１番目のコンテンツＡは、第１領域６１に、２番目のコンテンツＢは、第２領域６２に、それぞれ印刷されている。
以上により、制御部１１は、記録媒体２０のＴＯＣに基づいて、第１領域６１と第２領域６２とにラベル情報が印刷されていると特定する。
《２》印字ヘッドの位置決めについて
さらに、この状態で記録媒体２０に対してコンテンツの記録が行われるとする。制御部１１は、記録媒体２０へのコンテンツ記録後に、記録媒体２０のリードイン領域に記録されているＴＯＣを再度再生する（図６（ａ））。例えば、記録媒体２０に対して３番目のコンテンツＣが追加的に記録されたとすると、ＴＯＣを再生することにより、記録媒体２０が記録するコンテンツＡとコンテンツＢとコンテンツＣとのタイトルなどが取得される。
制御部１１は、コンテンツの記録の前後におけるＴＯＣを比較し、コンテンツＣが新たに記録されたことを認識する。さらに、コンテンツＣが３番目のコンテンツであることを認識する。
そこで、制御部１１は、まだラベル情報が印刷されていない領域である第３領域６３に、コンテンツＣのラベル情報を印刷する。
ここで、記録再生装置１０では、印刷機構１２ａの印字ヘッドと記録再生機構１３ａの光ピックアップとの相対位置が規定されている。すなわち、印字ヘッドと光ピックアップとは同調して動作することが可能である。また、上記した第１領域６１〜第ｎ領域６ｎのそれぞれの位置は、情報記録面のアドレスもしくは情報記録面の任意の位置決め用のピットやマーカと関係づけられている。このため、光ピックアップの位置決め制御を行うことにより、印字ヘッドを上記した第１領域６１〜第ｎ領域６ｎに位置決め可能となっている。
以上により、制御部１１は、印字ヘッドを第３領域６３上に位置決めし、コンテンツＣのラベル情報を印刷することが可能となる。
（２−１の変形例）
〈１〉
なお、本変形例では、第１領域６１〜第ｎ領域６ｎは、周方向に並ぶ領域であるとしたが、径方向に並ぶ領域であってもよい。
〈２〉
なお、記録媒体２０の記録再生装置１０に対する相対回転位相を一定にした状態でラベル印刷を行うとしてもよい。この場合、ディスクのラベル面または情報記録面に位置決め用のマーカまたはピットが設けられており、このマーカまたはピットにより記録媒体２０の記録再生装置１０に対する相対回転位相を一定にすることが可能となる。これにより、より簡易な構成でラベル印刷を行うことが可能となる。
また、この位置決め用のマーカは、記録媒体２０上に設けられたＩＣタグにより実現されるものであってもよい。この場合、記録再生装置１０は、ＩＣタグと通信可能なＩＣタグ通信部をさらに備えてもよい。制御部１１は、ＩＣタグ通信部とＩＣタグとの相対位置（相対位相）を、通信時の電界強度などから判別し、位置決めを行うものであってもよい。より具体的には、ラベル印刷前に、制御部１１が記録媒体２０を回転させ、通信部とＩＣタグとの通信時の電界強度が最大となる向き（位相）を基準として、ラベル印刷を行うようにしてもよい。また、ＩＣタグ通信部とＩＣタグとの通信時の電界強度から記録媒体２０の向き（位相）を判定し、その向き（位相）に応じてラベル情報（印刷イメージ）を回転させてラベル印刷を行うようにしてもよい。なお、このＩＣタグは、上述のように、ラベル情報を格納するものであってもよい。
〈３〉
上記の説明では、ラベル情報は、必ずしも位置情報を含まないものであり、コンテンツのタイトルだけを含むものなどである。このような場合であっても、上述のように制御部１１は、コンテンツ記録前後のＴＯＣを比較することにより、追加されたコンテンツを認識し、追加されたコンテンツを印刷する領域を決定することができる。
しかし、ラベル情報は、記録媒体２０が記録するコンテンツ毎の「タイトル」「フォント」「位置情報」を含む情報であってもよい。これについて、図７を参照して説明する。
図７に示すのは、ページ記述言語などで表現されたラベル情報の一例である。ラベル情報は、記録媒体２０に記録されているコンテンツの「タイトル」、タイトルを印字するための「フォント」、タイトルを印字するための記録媒体２０上の「位置情報」を含んでおり、制御部１１とラベル情報をやりとりできる記憶手段（記録媒体２０、記録媒体２０上のＩＣタグ、記憶部１４、外部ＩＦ１５を介して接続される記録手段）のいずれかに記憶されている。
以下、記録媒体２０または記録媒体２０上のＩＣタグ（以下、記録媒体２０等という）に記憶されているものとして、ラベル情報の生成およびラベル印刷について説明を行う。
コンテンツ記録前、記録媒体２０上には、第１領域６１にコンテンツＡが、第２領域６２にコンテンツＢがそれぞれ印刷されているとする（図６（ｂ）参照）。この場合、記録媒体２０等に記憶されているラベル情報は、図７（ａ）に示すデータである。詳しくは、ラベル情報は、記録媒体２０が記憶するコンテンツ毎に、「タイトル」、「フォント」、「位置情報」を格納している。
制御部１１は、新たなコンテンツの記録が行われると、その「タイトル」をＴＯＣから取得する。より詳しくは、記録前に作業用メモリなどに取得しておいたＴＯＣと、記録後に作業用メモリなどに取得したＴＯＣとを比較し（図６（ａ）参照）、新たに記録されたコンテンツの「タイトル」を取得する。この処理により、図７（ｂ）に示すコンテンツＣのタイトル「Ｃ」が取得される。
さらに、その「タイトル」を印字するための「フォント」を、デフォルトのフォント、あるいは逐次ユーザにより選択されたフォントに設定する。ここでは、フォント「Ｆ１」が選択されたとする。
さらに、制御部１１は、既に記憶されているラベル情報（図７（ａ）参照）を記録媒体２０等から取得する。具体的には、既に記憶されているコンテンツＡおよびコンテンツＢの「位置情報」を取得する。さらに、制御部１１は、取得した「位置情報」に基づいて、記録媒体２０上の第１領域６１〜第ｎ領域６ｎのうち、空き領域（印刷が行われていない領域）を選択する。例えば、制御部１１は、既に記憶されている「位置情報」が示す番号（図７（ａ）では、［６１］、［６２］）の最大数に１を加えた数が示す領域を選択し、新たなコンテンツＣのラベル印刷を行う領域の「位置情報」とする。この処理により、図７（ｂ）に示すコンテンツＣの位置情報「６３」が選択される。
以上により、新たなコンテンツＣに対するラベル情報が、タイトル「Ｃ」、フォント「Ｆ１」、位置情報「６３」と決定され、このラベル情報が、ラベル印刷用のラベル情報となる。
制御部１１は、このラベル印刷用のラベル情報を用いて、印刷機構駆動部１２ｂを駆動し、「第３領域６３」に対して、コンテンツＣのタイトル「Ｃ」をフォント「Ｆ１」を用いて印刷する。
さらに制御部１１は、印刷後のラベル情報を生成する。具体的には、既に記憶されているラベル情報（図７（ａ）参照）に対して、作成された印刷用のラベル情報（図７（ｂ）参照）を加え、印刷後のラベル情報（図７（ｃ））を生成する。さらに制御部１１は、生成した印刷後のラベル情報を記憶媒体２０等に記憶する。
〈４〉
なお、コンテンツが削除される場合には、そのコンテンツのラベル情報を印刷していた領域を塗りつぶすあるいはラベル情報の上に他の図形を印刷するなどして、削除されたことが認識できるようにすることが望ましい。例えば、図８（ａ）〜（ｂ）に示すように、コンテンツＣが追加的に記録されるとともにコンテンツＡが削除された場合には、第１領域６１に印刷されていたコンテンツＡを示すラベル情報を取消線で消して標示することが好ましい。古いラベル情報を取消線で消した状態で残しておけば、ユーザが誤って記録媒体からあるデータを消去してしまっても、ハードディスクなどの記憶部にラベル情報及びコンテンツ情報が関連づけられて記憶されていれば、取消線で消された古いラベル情報を頼りにデータを回復することができる。
なお、このような場合に、ラベル情報は、〈３〉で記載したように、記録媒体２０が記録するコンテンツ毎の「タイトル」「フォント」「位置情報」を含む情報であってもよい。これについて、図９を参照して説明する。
図９に示すのは、ページ記述言語などで表現されたラベル情報の一例である。
コンテンツ記録前、記録媒体２０上には、第１領域６１にコンテンツＡが、第２領域６２にコンテンツＢがそれぞれ印刷されているとする（図８（ｂ）参照）。この場合、記録媒体２０等に記憶されているラベル情報は、図９（ａ）に示すデータである。詳しくは、ラベル情報は、コンテンツ毎に、「タイトル」、「フォント」、「位置情報」を格納している。
制御部１１は、コンテンツの削除が行われると、削除されたコンテンツの「タイトル」をＴＯＣから取得する。より詳しくは、削除前に作業用メモリなどに格納しておいたＴＯＣと、削除後に作業用メモリなどに格納したＴＯＣとを比較し、削除前のＴＯＣには含まれるが削除後のＴＯＣには含まれないコンテンツの「タイトル」を取得する。
さらに、制御部１１は、既に記憶されているラベル情報（図９（ａ）参照）を記録媒体２０等から取得する。ここで、制御部１１は、取得されたラベル情報のうち、削除されたコンテンツのラベル情報のみを作業用メモリに記憶する。
さらに、制御部１１は、作業用メモリに記憶したラベル情報の「タイトル」項目を、そのタイトルが削除されたことを標示する記号に置き換える。例えば、図９（ｂ）の記号「＝」のように、「取消線」を標示する記号に置き換える。これにより、制御部１１は、削除されたコンテンツに対するラベル印刷用のラベル情報を生成する。すなわち、削除されたコンテンツＡに対するラベル情報が、タイトル「取消線」、フォント「Ｆ１」、位置情報「６１」と決定される。
なお、図８（ａ）では、新たなコンテンツＣが記録されているが、この新たなコンテンツＣに対するラベル印刷用のラベル情報の生成については、〈３〉で記載したため説明を省略する。
以上の処理により、制御部１１は、削除されたコンテンツと新たに記録されたコンテンツとのラベル印刷用のラベル情報を生成する（図９（ｂ）参照）。
制御部１１は、このラベル印刷用のラベル情報を用いて、印刷機構駆動部１２ｂを駆動し、「第１領域６１」に「取消線」をフォント「Ｆ１」を用いて印刷する。この時「取消線」は、予め第１領域６１に印刷されていたコンテンツＡのタイトル「Ａ」に重ねて印刷される。また、制御部１１は、「第３領域６３」に、コンテンツＣのタイトル「Ｃ」をフォント「Ｆ１」を用いて印刷する。
さらに制御部１１は、印刷後のラベル情報を生成する。具体的には、既に記憶されているラベル情報（図９（ａ）参照）に対して、作成された印刷用のラベル情報（図９（ｂ）参照）を加え、印刷後のラベル情報（図９（ｃ））を生成する。生成されたラベル情報は、記憶媒体２０等に記憶される。ここで、削除されたコンテンツＡに関する印刷後のラベル情報では、「タイトル」の項目には、コンテンツＡのタイトル「Ａ」と「取消線」とが重ねて標示されていることを示す情報が格納される。
〈５〉
なお、ラベルが書き換えられる場合には、元々ラベル印刷されていた部分に上書きするようにラベル印刷がおこなわれてもよい。例えば、図８（ａ）に示すように、コンテンツＣが追加的に記録されるとともにコンテンツＡが削除された場合には、図１０に示すように、第１領域６１と第２領域６２に印刷されていたコンテンツＡとコンテンツＢとを示すラベル情報を、コンテンツＢとコンテンツＣとを示すラベル情報に上書きしてもよい。
なお、このような場合に、ラベル情報は、〈３〉で記載したように、記録媒体２０が記録するコンテンツ毎の「タイトル」「フォント」「位置情報」を含む情報であってもよい。これについて、図１１を参照して説明する。
図１１に示すのは、ページ記述言語などで表現されたラベル情報の一例である。
コンテンツ記録前、記録媒体２０上には、第１領域６１にコンテンツＡが、第２領域６２にコンテンツＢがそれぞれ印刷されているとする（図１０参照）。この場合、記録媒体２０等に記憶されているラベル情報は、図１１（ａ）に示すデータである。詳しくは、ラベル情報は、コンテンツ毎に、「タイトル」、「フォント」、「位置情報」を格納している。
制御部１１は、コンテンツの記録および削除（以下、記録等という）の前に作業用メモリにＴＯＣを格納しておくとともに、記録等の後にも作業用メモリにＴＯＣを格納する。制御部１１は、この記録等の後に取得したＴＯＣから、印刷用のラベル情報となる「タイトル」を取得する。具体的には、図８（ａ）に示すように、記録等の後には、コンテンツＢとコンテンツＣとが記録されているため、制御部１１は、ＴＯＣからタイトル「Ｂ」と「Ｃ」とを取得する。
さらに制御部１１は、その「タイトル」を印字するための「フォント」を、デフォルトのフォント、あるいは逐次ユーザにより選択されたフォントに設定する。ここでは、全ての「タイトル」に対して、フォント「Ｆ１」が選択されたとする。
さらに制御部１１は、記憶媒体２０等に記憶されているラベル情報（図１１（ａ）参照）から、既に印刷されている領域の「位置情報」を取得する。さらに制御部１１は、取得した「位置情報」が示す領域に対して、ＴＯＣから取得した「タイトル」を順次割り付ける。割り付けは、印刷済み領域に、記録等の後に記録されているコンテンツの「タイトル」が上書きされるように行われる。
この際、記録等の前後で記録されているコンテンツ数が同じ場合には、印刷済み領域の全ての「タイトル」項目が新しい「タイトル」に置換される。一方、記録等の前後で記録されているコンテンツ数が減少する場合には、印刷済み領域の一部の「タイトル」項目が新しい「タイトル」に置換されるとともに、印刷済み領域の他部の「タイトル」項目が、その領域の印字が消去されることを標示する記号（例えば、記録媒体２０の「背景色」が上書き印刷されることを示す記号）に置換される。また、記録等の前後で記録されているコンテンツ数が増加する場合には、印刷済み領域の全ての「タイトル」項目が新しい「タイトル」に置換されるとともに、残りの新しい「タイトル」には、印刷済み領域以外の空き領域が割り付けられる。この場合、空き領域の割り付けは、空き領域のうち「位置情報」が示す番号の小さいものから割付が行われる。
図１０に示す一例では、記録等の前後でコンテンツ数が同じであるため、制御部１１は、既に印刷されている領域（第１領域６１と第２領域６２）に、新しいタイトル「Ｂ」と「Ｃ」とを順次割り付ける。
以上により、印刷用のラベル情報が生成される（図１１（ｂ）参照）。
制御部１１は、このラベル印刷用のラベル情報を用いて、印刷機構駆動部１２ｂを駆動し、「第１領域６１」に対して、コンテンツＢのタイトル「Ｂ」をフォント「Ｆ１」を用いて印刷する。さらに、「第２領域６２」に対して、コンテンツＣのタイトル「Ｃ」をフォント「Ｆ１」を用いて印刷する。
さらに制御部１１は、印刷後のラベル情報を生成する。具体的には、ラベル印刷用のラベル情報から、「タイトル」に「背景色」を示すを格納するデータを削除することで、印刷後のラベル情報を生成する。図１１に示す例では、ラベル印刷用のラベル情報と印刷後のラベル情報とが一致している。生成したラベル情報は、記憶媒体２０等に記憶される。
〈６〉
なお、《１》ラベル情報が印刷されている位置を特定するために、ラベル面をスキャナにより取り込んで処理してもよい。具体的には、制御部１１は、スキャナにより取り込んだラベル面を、ＯＣＲ（Ｏｐｔｉｃａｌ  Ｃｈａｒａｃｔｏｒ  Ｒｅａｄｅｒ）処理し、文字情報や画像情報の位置を検出する。さらに、印刷部１２に対して、文字情報や画像情報が印刷されていない位置にラベル印刷させる。なお、この場合、スキャナにより取り込んだラベル面の画像をモニタなどの表示装置に表示し、ユーザが新しいラベル情報の印刷位置を指定してもよい。
（２−２）
上記実施形態では、ラベル印刷によるラベルの標示について説明したが、情報記録面において、ラベル情報を視認可能に標示してもよい。
記録媒体２０では、情報の記録の際、レーザービームの照射によって、情報記録面の物性が変化し、無数のピットが形成される。このため、情報が記録された箇所と記録されていない箇所とを識別可能であり、コンテンツが記録されていない半径領域にラベル情報を視認可能に標示することが可能である。
本変形例では、ラベル標示のための印刷部１２を備える必要が無く、より簡易な構成でラベル標示を行うことが可能となる。
（２−３）
上記実施形態において、ステップＳ４１では、記録媒体２０上にラベル情報が記録されているか否かを判断するとしたが、記憶部１４や外部ＩＦ１５を介して接続されるサーバなどにラベル情報が記録されているか否かを判断してもよい。
この場合、記憶部１４や外部ＩＦ１５を介して接続されるサーバには、記録媒体２０に固有のＩＤ（ディスクＩＤ）とラベル情報とが関連づけられて記録されている。
例えば、ラベル情報が印刷される場合には、記録媒体２０のディスクＩＤと関連付けられたラベル情報が、記憶部１４や外部ＩＦ１５を介して接続されるサーバなどから取得される。
これにより、記録媒体２０にラベル情報を記録するための領域を設けることなく、記録媒体２０に記録されるコンテンツと一致するラベル情報を利用することが可能となる。
（３）ラベル情報記録機能について
（３−１）
上記実施形態では、ラベル情報生成機能で生成されたラベル情報は、記録媒体２０に記録すると記載したが、記憶部１４や外部ＩＦ１５を介して接続されるサーバなどに記録してもよい。
この場合、記録媒体２０に固有のＩＤ（ディスクＩＤ）とラベル情報とが関連づけられて記録される。
（４）その他
（４−１）
上記実施形態では、記録媒体２０は、主にＣＤ，ＤＶＤなどの光ディスクであるとしたが、その他の記録媒体であってもよい。例えば、ＦＤ，ＰＤ，ＭＯなどであってもよい。特に、カートリッジに入っている記録媒体の場合には、カートリッジのラベル面に印刷を行ってもよい。
（４−２）
なお、記録再生装置１０は、上記実施形態で説明した（１）ラベル情報生成機能、（２）ラベル印刷機能、（３）ラベル情報記録機能の全ての機能を有している必要はなく、いずれかの機能のみを実現する装置であってもよい。
【産業上の利用可能性】
【０００７】  本発明にかかる標示方法、記録方法、標示装置、記録装置および記録媒体は、記録媒体に記録する情報と一致する標示を行うことが求められる分野において有用である。
【図１】
2006070622.tif 000002
【図２】
2006070622.tif 000003
【図３】
2006070622.tif 000004
【図４】
2006070622.tif 000005
【図５】
2006070622.tif 000006
【図６】
2006070622.tif 000007
【図７】
2006070622.tif 000008
【図８】
2006070622.tif 000009
【図９】
2006070622.tif 000010
【図１０】
2006070622.tif 000011
【図１１】
2006070622.tif 000012
【手続補正書】
【提出日】平成18年5月18日(2006.5.18)
【手続補正１】
【補正対象書類名】特許請求の範囲
【補正対象項目名】請求の範囲
【補正方法】変更
【補正の内容】
【書類名】請求の範囲
【請求項１】（補正後）  記録媒体が格納する情報（以下、格納情報）に関連した情報を標示するための標示情報を前記記録媒体上に標示する方法であって、
第一の格納情報に対応した第一の標示情報を取得する標示情報取得ステップと、
前記第一の格納情報とは異なる第二の格納情報に対応した第二の標示情報が標示されている前記記録媒体上の位置に関する位置情報を取得する位置情報取得ステップと、
前記位置情報に基づいて、前記第一の標示情報を標示させる前記記録媒体上の標示位置を特定する標示位置特定ステップと、
前記第一の標示情報を前記記録媒体上の前記特定された標示位置に標示する標示ステップと、
を備える標示方法。
【請求項２】（補正後）  前記標示ステップは、前記第一の標示情報を前記記録媒体上に印刷するステップである、
請求項１に記載の標示方法。
【請求項３】（補正後）  前記標示情報取得ステップは、前記第一の格納情報に基づいて、前記第一の標示情報を生成するステップである、
請求項１に記載の標示方法。
【請求項４】（補正後）  前記記録媒体に格納前または格納中の前記第一の格納情報を取得する格納情報取得ステップ、
をさらに備え、
前記標示情報取得ステップは、取得された前記第一の格納情報に基づいて、前記第一の標示情報を生成するステップである、
請求項３に記載の標示方法。
【請求項５】（補正後）  前記記録媒体に格納済みの前記第一の格納情報を再生する再生ステップ、
をさらに備え、
前記標示情報取得ステップは、再生された前記第一の格納情報に基づいて、前記第一の標示情報を生成するステップである、
請求項３に記載の標示方法。
【請求項６】（補正後）  記録媒体が格納する情報（以下、格納情報）に関連した情報を前記記録媒体上に標示するための標示情報を記録する方法であって、
第一の格納情報に対応した第一の標示情報を取得する標示情報取得ステップと、
前記第一の格納情報とは異なる第二の格納情報に対応した第二の標示情報が標示されている前記記録媒体上の位置に関する位置情報を取得する位置情報取得ステップと、
前記位置情報に基づいて、前記第一の標示情報を標示させる前記記録媒体上の標示位置を特定する標示位置特定ステップと、
前記第一の標示情報と前記特定された標示位置に関する情報とを記録する記録ステップと、
を備える記録方法。
【請求項７】（補正後）  前記第一の標示情報は、前記第一の格納情報を前記記録媒体上に印刷するための情報である、
請求項６に記載の記録方法。
【請求項８】（補正後）  前記記録ステップは、前記第一の標示情報を前記記録媒体の情報記録面に記録するステップである、
請求項６に記載の記録方法。
【請求項９】（補正後）  前記記録ステップは、前記第一の標示情報を前記記録媒体を特定するための情報とともに記録するステップである、
請求項６に記載の記録方法。
【請求項１０】（補正後）  前記記録ステップにより記録された前記第一の標示情報は、前記第一の格納情報の変更に応じて、変更可能である、
請求項６に記載の記録方法。
【請求項１１】（補正後）  記録媒体が格納する情報（以下、格納情報）に関連した情報を標示するための標示情報を前記記録媒体上に標示する装置であって、
第一の格納情報に対応した第一の標示情報を取得する標示情報取得手段と、
前記第一の格納情報とは異なる第二の格納情報に対応した第二の標示情報が標示されている前記記録媒体上の位置に関する位置情報を取得する位置情報取得手段と、
前記位置情報に基づいて、前記第一の標示情報を標示させる前記記録媒体上の標示位置を特定する標示位置特定手段と、
前記第一の標示情報を前記記録媒体上の前記特定された標示位置に標示する標示手段と、
を備える標示装置。
【請求項１２】（補正後）  前記標示手段は、前記第一の標示情報を前記記録媒体上に印刷する手段である、
請求項１１に記載の標示装置。
【請求項１３】（補正後）  前記標示情報取得手段は、前記第一の格納情報に基づいて、前記第一の標示情報を生成する手段である、
請求項１１に記載の標示装置。
【請求項１４】（補正後）  前記記録媒体に格納前または格納中の前記第一の格納情報を取得する格納情報取得手段、
をさらに備え、
前記標示情報取得手段は、取得された前記第一の格納情報に基づいて、前記第一の標示情報を生成する手段である、
請求項１３に記載の標示装置。
【請求項１５】（補正後）  前記記録媒体に格納済みの前記第一の格納情報を再生する再生手段、
をさらに備え、
前記標示情報取得手段は、再生された前記第一の格納情報に基づいて、前記第一の標示情報を生成する手段である、
請求項１３に記載の標示装置。
【請求項１６】（補正後）  記録媒体が格納する情報（以下、格納情報）に関連した情報を前記記録媒体上に標示するための標示情報を記録する装置であって、
第一の格納情報に対応した第一の標示情報を取得する標示情報取得手段と、
前記第一の格納情報とは異なる第二の格納情報に対応した第二の標示情報が標示されている前記記録媒体上の位置に関する位置情報を取得する位置情報取得手段と、
前記位置情報に基づいて、前記第一の標示情報を標示させる前記記録媒体上の標示位置を特定する標示位置特定手段と、
前記第一の標示情報と前記特定された標示位置に関する情報とを記録する記録手段と、
を備える記録装置。
【請求項１７】（補正後）  前記第一の標示情報は、前記第一の格納情報を前記記録媒体上に印刷するための情報である、
請求項１６に記載の記録装置。
【請求項１８】（補正後）  前記記録手段は、前記第一の標示情報を前記記録媒体の情報記録面に記録する手段である、
請求項１６に記載の記録装置。
【請求項１９】（補正後）  前記記録手段は、前記第一の標示情報を前記記録媒体を特定するための情報とともに記録する手段である、
請求項１６に記載の記録装置。
【請求項２０】（補正後）  前記記録手段により記録された前記第一の標示情報は、前記第一の格納情報の変更に応じて、変更可能である、
請求項１６に記載の記録装置。
【請求項２１】（補正後）  格納する情報（以下、格納情報）が標示可能な記録媒体であって、
前記格納情報を記録するための第一の領域と、
前記格納情報に関する情報を標示するための標示情報を記録するための第二の領域と、
前記標示情報を標示するための第三の領域と、
を備え、
前記第二の領域は、前記標示情報が標示される前記記録媒体上の位置に関する位置情報を記録するための第四の領域を含む、
記録媒体。
【請求項２２】前記標示情報は、前記格納情報の変更に応じて、変更可能である、
請求項２１に記載の記録媒体。
【請求項２３】（追加）  前記第二の格納情報は、前記記録媒体に記録されており、
前記標示位置は、前記位置情報とは異なる位置である、
請求項１に記載の標示方法。
【請求項２４】（追加）  前記第二の格納情報は、前記記録媒体から削除されており、
前記第二の標示情報は、前記削除の旨を示す情報を含み、
前記標示位置は、前記位置情報とは異なる位置である、
請求項１に記載の標示方法。
【請求項２５】（追加）  前記第二の格納情報は、前記記録媒体から削除されており、
前記第二の標示情報を含んだ標示情報は、前記第一の標示情報を含んだ標示情報に更新される、
請求項１に記載の標示方法。
【請求項２６】（追加）  前記第二の格納情報は、前記記録媒体に記録されており、
前記標示位置は、前記位置情報とは異なる位置である、
請求項６に記載の記録方法。
【請求項２７】（追加）  前記第二の格納情報は、前記記録媒体から削除されており、
前記第二の標示情報は、前記削除の旨を示す情報を含み、
前記標示位置は、前記位置情報とは異なる位置である、
請求項６に記載の記録方法。
【請求項２８】（追加）  前記第二の格納情報は、前記記録媒体から削除されており、
前記第二の標示情報を含んだ標示情報は、前記第一の標示情報を含んだ標示情報に更新される、
請求項６に記載の記録方法。
【請求項２９】（追加）  前記第二の格納情報は、前記記録媒体に記録されており、
前記標示位置は、前記位置情報とは異なる位置である、
請求項１１に記載の標示装置。
【請求項３０】（追加）  前記第二の格納情報は、前記記録媒体から削除されており、
前記第二の標示情報は、前記削除の旨を示す情報を含み、
前記標示位置は、前記位置情報とは異なる位置である、
請求項１１に記載の標示装置。
【請求項３１】（追加）  前記第二の格納情報は、前記記録媒体から削除されており、
前記第二の標示情報を含んだ標示情報は、前記第一の標示情報を含んだ標示情報に更新される、
請求項１１に記載の標示装置。
【請求項３２】（追加）  前記第二の格納情報は、前記記録媒体に記録されており、
前記標示位置は、前記位置情報とは異なる位置である、
請求項１６に記載の記録装置。
【請求項３３】（追加）  前記第二の格納情報は、前記記録媒体から削除されており、
前記第二の標示情報は、前記削除の旨を示す情報を含み、
前記標示位置は、前記位置情報とは異なる位置である、
請求項１６に記載の記録装置。
【請求項３４】（追加）  前記第二の格納情報は、前記記録媒体から削除されており、
前記第二の標示情報を含んだ標示情報は、前記第一の標示情報を含んだ標示情報に更新される、
請求項１６に記載の記録装置。
３７
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
記録媒体が格納する情報（以下、格納情報）に関連した情報を標示するための標示情報を前記記録媒体上に標示する方法であって、
第一の格納情報に対応した第一の標示情報を取得する標示情報取得ステップと、
前記第一の格納情報とは異なる第二の格納情報に対応した第二の標示情報が標示されている前記記録媒体上の位置に関する位置情報を取得する位置情報取得ステップと、
前記位置情報に基づいて、前記第一の標示情報を標示させる前記記録媒体上の標示位置を特定する標示位置特定ステップと、
前記第一の標示情報を前記記録媒体上の前記特定された標示位置に標示する標示ステップと、
を備える標示方法。
【請求項２】
前記標示ステップは、前記第一の標示情報を前記記録媒体上に印刷するステップである、
請求項１に記載の標示方法。
【請求項３】
前記標示情報取得ステップは、前記第一の格納情報に基づいて、前記第一の標示情報を生成するステップである、
請求項１に記載の標示方法。
【請求項４】
前記記録媒体に格納前または格納中の前記第一の格納情報を取得する格納情報取得ステップ、
をさらに備え、
前記標示情報取得ステップは、取得された前記第一の格納情報に基づいて、前記第一の標示情報を生成するステップである、
請求項３に記載の標示方法。
【請求項５】
前記記録媒体に格納済みの前記第一の格納情報を再生する再生ステップ、
をさらに備え、
前記標示情報取得ステップは、再生された前記第一の格納情報に基づいて、前記第一の標示情報を生成するステップである、
請求項３に記載の標示方法。
【請求項６】
記録媒体が格納する情報（以下、格納情報）に関連した情報を前記記録媒体上に標示するための標示情報を記録する方法であって、
第一の格納情報に対応した第一の標示情報を取得する標示情報取得ステップと、
前記第一の格納情報とは異なる第二の格納情報に対応した第二の標示情報が標示されている前記記録媒体上の位置に関する位置情報を取得する位置情報取得ステップと、
前記位置情報に基づいて、前記第一の標示情報を標示させる前記記録媒体上の標示位置を特定する標示位置特定ステップと、
前記第一の標示情報と前記特定された標示位置に関する情報とを記録する記録ステップと、
を備える記録方法。
【請求項７】
前記第一の標示情報は、前記第一の格納情報を前記記録媒体上に印刷するための情報である、
請求項６に記載の記録方法。
【請求項８】
前記記録ステップは、前記第一の標示情報を前記記録媒体の情報記録面に記録するステップである、
請求項６に記載の記録方法。
【請求項９】
前記記録ステップは、前記第一の標示情報を前記記録媒体を特定するための情報とともに記録するステップである、
請求項６に記載の記録方法。
【請求項１０】
前記記録ステップにより記録された前記第一の標示情報は、前記第一の格納情報の変更に応じて、変更可能である、
請求項６に記載の記録方法。
【請求項１１】
記録媒体が格納する情報（以下、格納情報）に関連した情報を標示するための標示情報を前記記録媒体上に標示する装置であって、
第一の格納情報に対応した第一の標示情報を取得する標示情報取得手段と、
前記第一の格納情報とは異なる第二の格納情報に対応した第二の標示情報が標示されている前記記録媒体上の位置に関する位置情報を取得する位置情報取得手段と、
前記位置情報に基づいて、前記第一の標示情報を標示させる前記記録媒体上の標示位置を特定する標示位置特定手段と、
前記第一の標示情報を前記記録媒体上の前記特定された標示位置に標示する標示手段と、
を備える標示装置。
【請求項１２】
前記標示手段は、前記第一の標示情報を前記記録媒体上に印刷する手段である、
請求項１１に記載の標示装置。
【請求項１３】
前記標示情報取得手段は、前記第一の格納情報に基づいて、前記第一の標示情報を生成する手段である、
請求項１１に記載の標示装置。
【請求項１４】
前記記録媒体に格納前または格納中の前記第一の格納情報を取得する格納情報取得手段、
をさらに備え、
前記標示情報取得手段は、取得された前記第一の格納情報に基づいて、前記第一の標示情報を生成する手段である、
請求項１３に記載の標示装置。
【請求項１５】
前記記録媒体に格納済みの前記第一の格納情報を再生する再生手段、
をさらに備え、
前記標示情報取得手段は、再生された前記第一の格納情報に基づいて、前記第一の標示情報を生成する手段である、
請求項１３に記載の標示装置。
【請求項１６】
記録媒体が格納する情報（以下、格納情報）に関連した情報を前記記録媒体上に標示するための標示情報を記録する装置であって、
第一の格納情報に対応した第一の標示情報を取得する標示情報取得手段と、
前記第一の格納情報とは異なる第二の格納情報に対応した第二の標示情報が標示されている前記記録媒体上の位置に関する位置情報を取得する位置情報取得手段と、
前記位置情報に基づいて、前記第一の標示情報を標示させる前記記録媒体上の標示位置を特定する標示位置特定手段と、
前記第一の標示情報と前記特定された標示位置に関する情報とを記録する記録手段と、
を備える記録装置。
【請求項１７】
前記第一の標示情報は、前記第一の格納情報を前記記録媒体上に印刷するための情報である、
請求項１６に記載の記録装置。
【請求項１８】
前記記録手段は、前記第一の標示情報を前記記録媒体の情報記録面に記録する手段である、
請求項１６に記載の記録装置。
【請求項１９】
前記記録手段は、前記第一の標示情報を前記記録媒体を特定するための情報とともに記録する手段である、
請求項１６に記載の記録装置。
【請求項２０】
前記記録手段により記録された前記第一の標示情報は、前記第一の格納情報の変更に応じて、変更可能である、
請求項１６に記載の記録装置。
【請求項２１】
格納する情報（以下、格納情報）が標示可能な記録媒体であって、
前記格納情報を記録するための第一の領域と、
前記格納情報に関する情報を標示するための標示情報を記録するための第二の領域と、
前記標示情報を標示するための第三の領域と、
を備え、
前記第二の領域は、前記標示情報が標示される前記記録媒体上の位置に関する位置情報を記録するための第四の領域を含む、
記録媒体。
【請求項２２】
前記標示情報は、前記格納情報の変更に応じて、変更可能である、
請求項２１に記載の記録媒体。
【請求項２３】
前記第二の格納情報は、前記記録媒体に記録されており、
前記標示位置は、前記位置情報とは異なる位置である、
請求項１に記載の標示方法。
【請求項２４】
前記第二の格納情報は、前記記録媒体から削除されており、
前記第二の標示情報は、前記削除の旨を示す情報を含み、
前記標示位置は、前記位置情報とは異なる位置である、
請求項１に記載の標示方法。
【請求項２５】
前記第二の格納情報は、前記記録媒体から削除されており、
前記第二の標示情報を含んだ標示情報は、前記第一の標示情報を含んだ標示情報に更新される、
請求項１に記載の標示方法。
【請求項２６】
前記第二の格納情報は、前記記録媒体に記録されており、
前記標示位置は、前記位置情報とは異なる位置である、
請求項６に記載の記録方法。
【請求項２７】
前記第二の格納情報は、前記記録媒体から削除されており、
前記第二の標示情報は、前記削除の旨を示す情報を含み、
前記標示位置は、前記位置情報とは異なる位置である、
請求項６に記載の記録方法。
【請求項２８】
前記第二の格納情報は、前記記録媒体から削除されており、
前記第二の標示情報を含んだ標示情報は、前記第一の標示情報を含んだ標示情報に更新される、
請求項６に記載の記録方法。
【請求項２９】
前記第二の格納情報は、前記記録媒体に記録されており、
前記標示位置は、前記位置情報とは異なる位置である、
請求項１１に記載の標示装置。
【請求項３０】
前記第二の格納情報は、前記記録媒体から削除されており、
前記第二の標示情報は、前記削除の旨を示す情報を含み、
前記標示位置は、前記位置情報とは異なる位置である、
請求項１１に記載の標示装置。
【請求項３１】
前記第二の格納情報は、前記記録媒体から削除されており、
前記第二の標示情報を含んだ標示情報は、前記第一の標示情報を含んだ標示情報に更新される、
請求項１１に記載の標示装置。
【請求項３２】
前記第二の格納情報は、前記記録媒体に記録されており、
前記標示位置は、前記位置情報とは異なる位置である、
請求項１６に記載の記録装置。
【請求項３３】
前記第二の格納情報は、前記記録媒体から削除されており、
前記第二の標示情報は、前記削除の旨を示す情報を含み、
前記標示位置は、前記位置情報とは異なる位置である、
請求項１６に記載の記録装置。
【請求項３４】
前記第二の格納情報は、前記記録媒体から削除されており、
前記第二の標示情報を含んだ標示情報は、前記第一の標示情報を含んだ標示情報に更新される、
請求項１６に記載の記録装置。
【手続補正２】
【補正対象書類名】明細書
【補正対象項目名】全文
【補正方法】変更
【補正の内容】
【発明の詳細な説明】
【技術分野】
【０００１】
本発明は、標示方法、記録方法、標示装置、記録装置および記録媒体、特に記録媒体が格納する情報を記録媒体上に標示する標示方法および標示装置、記録媒体が格納する情報を記録媒体上に標示するための標示情報を記録する記録方法および記録装置、格納する情報が標示された記録媒体、に関する。
【背景技術】
【０００２】
近年、ＣＤやＤＶＤといった記録媒体を用いた記録を手軽に行う環境が整ってきている。例えば、このような記録媒体を用いたマルチメディアの記録などが盛んに行われている。
このような環境において、ユーザは、記録媒体に記録された情報が一目で分かるように、記録された情報を記録媒体上に標示する。
例えば、ユーザは、手書きにより記録媒体上にラベルを付ける、あるいは手入力した情報に基づいて記録媒体に付けるラベルを印刷する。このようなラベル印刷を行うためのプリンタに関する技術が知られている（例えば、特許文献１参照。）。
また、記録された情報を標示するための別の技術として、情報記録面に視認可能に文字や図形を書き込む技術も知られている（例えば、特許文献２参照。）。
【特許文献１】特開２００３−１９８２８号公報
【特許文献２】特許第３５７７００５号公報
【発明の開示】
【発明が解決しようとする課題】
【０００３】
ところで、上記従来の技術では、記録媒体上に標示された情報と、実際に記録媒体に記録されている情報とが一致していないことがある。例えば、記録媒体に記録されている情報が更新されているのに、それに伴ってラベルが更新されていないなどということが起こり得る。このような不一致は、記録媒体の管理などを煩雑にする。
そこで、本発明は、記録媒体に記録する情報と一致する標示を行うことを課題とする。
【課題を解決するための手段】
【０００４】
請求項１に記載の標示方法は、記録媒体が格納する情報（以下、格納情報）に関連した情報を標示するための標示情報を記録媒体上に標示する方法であって、標示情報取得ステップと、位置情報取得ステップと、標示位置特定ステップと、標示ステップとを備えている。標示情報取得ステップは、第一の格納情報に対応した第一の標示情報を取得する。位置情報取得ステップは、第一の格納情報とは異なる第二の格納情報に対応した第二の標示情報が標示されている記録媒体上の位置に関する位置情報を取得する。標示位置特定ステップは、位置情報に基づいて、第一の標示情報を標示させる記録媒体上の標示位置を特定する。標示ステップは、第一の標示情報を記録媒体上の特定された標示位置に標示する。
ここで、記録媒体が格納する情報とは、記録媒体に既に格納済みの情報だけでなく、格納途中の情報や格納前の情報などであってもよい（以下、本欄において同じ）。
【０００５】
また、標示とは、記録媒体の情報記録面とは反対の面（ラベル面）上に標示情報を印刷その他の方法で示すことや情報記録面上に標示情報を視認可能に示すことを含んでいる（以下、本欄において同じ）。
また、格納情報とは、マルチメディア情報などのいわゆるコンテンツやその管理情報などを含んでいてもよい（以下、本欄において同じ）。
また、標示情報とは、記録媒体上に標示される画像そのものや、格納情報を示す文字情報あるいは画像情報などを含んでいてもよい。標示情報が格納情報を示す文字情報あるいは画像情報などである場合には、文字情報や画像情報の記録媒体上での標示位置を示す情報をさらに含んでいてもよい（以下、本欄において同じ）。この場合には、標示情報は、例えば、ページ記述言語と呼ばれる言語で表現された印刷イメージを生成するためのデータであってもよい。
【０００６】
本発明の標示方法では、格納情報に対応した標示情報を記録媒体上に標示する。このため、記録媒体が格納する格納情報と標示情報とを一致させることが可能となる。
請求項２に記載の標示方法は、請求項１に記載の標示方法であって、標示ステップは、第一の標示情報を記録媒体上に印刷するステップである。
本発明の標示方法では、標示情報が記録媒体上に印刷される。このため、記録媒体が格納する格納情報と印刷された標示情報とを一致させることが可能となる。
請求項３に記載の標示方法は、請求項１に記載の標示方法であって、標示情報取得ステップは、第一の格納情報に基づいて、第一の標示情報を生成するステップである。
本発明の標示方法では、格納情報に基づいて標示情報を生成する。このため、格納情報と標示情報とを一致させることが可能となる。
【０００７】
請求項４に記載の標示方法は、請求項３に記載の標示方法であって、記録媒体に格納前または格納中の第一の格納情報を取得する格納情報取得ステップをさらに備えている。標示情報取得ステップは、取得された第一の格納情報に基づいて、第一の標示情報を生成するステップである。
本発明の標示方法では、格納前または格納中の格納情報に基づいて、標示情報を生成する。このため、例えば、格納情報を記録媒体に記録しつつ、対応した標示情報を記録媒体に標示することなどが可能となる。
請求項５に記載の標示方法は、請求項３に記載の標示方法であって、記録媒体に格納済の第一の格納情報を再生する再生ステップをさらに備えている。標示情報取得ステップは、再生された第一の格納情報に基づいて、第一の標示情報を生成するステップである。
【０００８】
本発明の標示方法では、再生された格納情報に基づいて、標示情報を生成する。このため、記録媒体が格納する格納情報と一致した標示情報を標示することが可能となる。
請求項６に記載の記録方法は、記録媒体が格納する情報（以下、格納情報）に関連した情報を記録媒体上に標示するための標示情報を記録する方法であって、標示情報取得ステップと、位置情報取得ステップと、標示位置特定ステップと、記録ステップとを備える。標示情報取得ステップは、第一の格納情報に対応した第一の標示情報を取得する。位置情報取得ステップは、第一の格納情報とは異なる第二の格納情報に対応した第二の標示情報が標示されている記録媒体上の位置に関する位置情報を取得する。標示位置特定ステップは、位置情報に基づいて、第一の標示情報を標示させる記録媒体上の標示位置を特定する。記録ステップは、第一の標示情報と特定された標示位置に関する情報とを記録する。
【０００９】
本発明の記録方法では、格納情報に対応した標示情報を取得し、標示情報を記録媒体と対応付けて記録する。このため、例えば、標示情報が記録媒体上に標示される場合に、記録媒体が格納する格納情報と一致した標示情報を利用可能となる。
請求項７に記載の記録方法は、請求項６に記載の記録方法であって、第一の標示情報は、第一の格納情報を記録媒体上に印刷するための情報である。
本発明の記録方法では、例えば、記録媒体が格納する格納情報と一致した標示情報を印刷することが可能となる。
請求項８に記載の記録方法は、請求項６に記載の記録方法であって、記録ステップは、第一の標示情報を記録媒体の情報記録面に記録するステップである。
本発明の記録方法では、標示情報を記録媒体の情報記録面に記録することにより、標示情報を記録媒体と対応付けている。このため、記録媒体が格納する格納情報と一致した標示情報を利用することが可能となる。
【００１０】
請求項９に記載の記録方法は、請求項６に記載の記録方法であって、記録ステップは、第一の標示情報を記録媒体を特定するための情報とともに記録するステップである。
ここで、記録媒体を特定するための情報とは、例えば、記録媒体それぞれに付されたディスクＩＤなどである。
本発明の記録方法では、標示情報を記録媒体を特定するための情報とともに記録することにより、標示情報を記録媒体と対応付けている。このため、記録媒体が格納する格納情報と一致した標示情報を利用することが可能となる。
請求項１０に記載の記録方法は、請求項６に記載の記録方法であって、記録ステップにより記録された第一の標示情報は、第一の格納情報の変更に応じて、変更可能である。
本発明の記録方法では、例えば、格納情報が変更された場合でも、記録媒体が格納する格納情報と一致した標示情報を利用することが可能となる。
【００１１】
請求項１１に記載の標示装置は、記録媒体が格納する情報（以下、格納情報）に関連した情報を標示するための標示情報を記録媒体上に標示する装置であって、標示情報取得手段と、位置情報取得手段と、標示位置特定手段と、標示手段と、を備える。標示情報取得手段は、第一の格納情報に対応した第一の標示情報を取得する。位置情報取得手段は、第一の格納情報とは異なる第二の格納情報に対応した第二の標示情報が標示されている記録媒体上の位置に関する位置情報を取得する。標示位置特定手段は、位置情報に基づいて、第一の標示情報を標示させる記録媒体上の標示位置を特定する。標示手段は、第一の標示情報を記録媒体上の特定された標示位置に標示する。
ここで、記録媒体が格納する情報とは、記録媒体に既に格納済みの情報だけでなく、格納途中の情報や格納前の情報などであってもよい。
【００１２】
標示とは、記録媒体の情報記録面とは反対の面（ラベル面）上に標示情報を印刷その他の方法で示すことや情報記録面上に標示情報を示すことを含む。
ここで、格納情報とは、マルチメディア情報などのいわゆるコンテンツやその管理情報などを含んでいてもよい。
格納情報を標示するための標示情報を記録媒体上に標示するため、記録媒体が格納する格納情報と標示情報とを一致させることが可能となる。
請求項１２に記載の標示装置は、請求項１１に記載の標示装置であって、標示手段は、第一の標示情報を記録媒体上に印刷する手段である。
本発明の標示装置では、標示情報が記録媒体上に印刷される。このため、記録媒体が格納する格納情報と印刷された標示情報とを一致させることが可能となる。
【００１３】
請求項１３に記載の標示装置は、請求項１１に記載の標示装置であって、標示情報取得手段は、第一の格納情報に基づいて、第一の標示情報を生成する手段である。
本発明の標示装置では、格納情報に基づいて標示情報を生成する。このため、格納情報と標示情報とを一致させることが可能となる。
請求項１４に記載の標示装置は、請求項１３に記載の標示装置であって、記録媒体に格納前または格納中の第一の格納情報を取得する格納情報取得手段をさらに備えている。標示情報取得手段は、取得された第一の格納情報に基づいて、第一の標示情報を生成する手段である。
本発明の標示装置では、格納前または格納中の格納情報に基づいて、標示情報を生成する。このため、例えば、格納情報を記録媒体に記録しつつ、対応した標示情報を記録媒体に標示することなどが可能となる。
【００１４】
請求項１５に記載の標示装置は、請求項１３に記載の標示装置であって、記録媒体に格納済みの第一の格納情報を再生する再生手段をさらに備えている。標示情報取得手段は、再生された第一の格納情報に基づいて、第一の標示情報を生成する手段である。
本発明の標示装置では、再生された格納情報に基づいて、標示情報を生成する。このため、記録媒体が格納する格納情報と一致した標示情報を標示することが可能となる。
請求項１６に記載の記録装置は、記録媒体が格納する情報（以下、格納情報）に関連した情報を記録媒体上に標示するための標示情報を記録する装置であって、標示情報取得手段と、位置情報取得手段と、標示位置特定手段と、記録手段と、を備える。標示情報取得手段は、第一の格納情報に対応した第一の標示情報を取得する。位置情報取得手段は、第一の格納情報とは異なる第二の格納情報に対応した第二の標示情報が標示されている記録媒体上の位置に関する位置情報を取得する。標示位置特定手段は、位置情報に基づいて、第一の標示情報を標示させる記録媒体上の標示位置を特定する。記録手段は、第一の標示情報と特定された標示位置に関する情報とを記録する。
【００１５】
請求項１７に記載の記録装置は、請求項１６に記載の記録装置であって、第一の標示情報は、第一の格納情報を記録媒体上に印刷するための情報である。
本発明の記録装置では、例えば、記録媒体が格納する格納情報と一致した標示情報を印刷することが可能となる。
請求項１８に記載の記録装置は、請求項１６に記載の記録装置であって、記録手段は、第一の標示情報を記録媒体の情報記録面に記録する手段である。
本発明の記録装置では、標示情報を記録媒体の情報記録面に記録することにより、標示情報を記録媒体と対応付けている。このため、記録媒体が格納する格納情報と一致した標示情報を利用することが可能となる。
請求項１９に記載の記録装置は、請求項１６に記載の記録装置であって、記録手段は、第一の標示情報を記録媒体を特定するための情報とともに記録する手段である。
【００１６】
ここで、記録媒体を特定するための情報とは、例えば、記録媒体それぞれに付されたディスクＩＤなどである。
本発明の記録装置では、標示情報を記録媒体を特定するための情報とともに記録することにより、標示情報を記録媒体と対応付けている。このため、記録媒体が格納する格納情報と一致した標示情報を利用することが可能となる。
請求項２０に記載の記録装置は、請求項１６に記載の記録装置であって、記録手段により記録された第一の標示情報は、第一の格納情報の変更に応じて、変更可能である。
本発明の記録装置では、例えば、格納情報が変更された場合でも、記録媒体が格納する格納情報と一致した標示情報を利用することが可能となる。
請求項２１に記載の記録媒体は、格納する情報（以下、格納情報）が標示可能な記録媒体であって、格納情報を記録するための第一の領域と、格納情報に関する情報を標示するための標示情報を記録するための第二の領域と、標示情報を標示するための第三の領域と、を備える。更に第二の領域は、標示情報が標示される記録媒体上の位置に関する位置情報を記録するための第四の領域を含む。
【００１７】
本発明の記録媒体では、格納情報と一致した標示情報を利用することが可能となる。
請求項２２に記載の記録媒体は、請求項２１に記載の記録媒体であって、標示情報は、格納情報の変更に応じて、変更可能である。
本発明の記録媒体では、格納情報が変更された場合でも、記録媒体が格納する格納情報と一致した標示情報を利用することが可能となる。
請求項２３に記載の標示方法は、請求項１に記載の標示方法であって、第二の格納情報は記録媒体に記録されており、標示位置は位置情報とは異なる位置である。
請求項２４に記載の標示方法は、請求項１に記載の標示方法であって、第二の格納情報は記録媒体から削除されており、第二の標示情報は削除の旨を示す情報を含み、標示位置は、位置情報とは異なる位置である。
【００１８】
請求項２５に記載の標示方法は、請求項１に記載の標示方法であって、第二の格納情報は記録媒体から削除されており、第二の標示情報を含んだ標示情報は第一の標示情報を含んだ標示情報に更新される。
請求項２６に記載の記録方法は、請求項６に記載の記録方法であって、第二の格納情報は記録媒体に記録されており、標示位置は位置情報とは異なる位置である。
請求項２７に記載の記録方法は、請求項６に記載の記録方法であって、第二の格納情報は記録媒体から削除されており、第二の標示情報は削除の旨を示す情報を含み、標示位置は位置情報とは異なる位置である。
請求項２８に記載の記録方法は、請求項６に記載の記録方法であって、第二の格納情報は記録媒体から削除されており、第二の標示情報を含んだ標示情報は第一の標示情報を含んだ標示情報に更新される。
【００１９】
請求項２９に記載の標示装置は、請求項１１に記載の標示装置であって、第二の格納情報は記録媒体に記録されており、標示位置は位置情報とは異なる位置である。
請求項３０に記載の標示装置は、請求項１１に記載の標示装置であって、第二の格納情報は記録媒体から削除されており、第二の標示情報は削除の旨を示す情報を含み、標示位置は位置情報とは異なる位置である。
請求項３１に記載の標示装置は、請求項１１に記載の標示装置であって、第二の格納情報は記録媒体から削除されており、第二の標示情報を含んだ標示情報は第一の標示情報を含んだ標示情報に更新される。
請求項３２に記載の記録装置は、請求項１６に記載の記録装置であって、第二の格納情報は記録媒体に記録されており、標示位置は位置情報とは異なる位置である。
【００２０】
請求項３３に記載の記録装置は、請求項１６に記載の記録装置であって、第二の格納情報は記録媒体から削除されており、第二の標示情報は削除の旨を示す情報を含み、
標示位置は位置情報とは異なる位置である。
請求項３４に記載の記録装置は、請求項１６に記載の記録装置であって、第二の格納情報は記録媒体から削除されており、第二の標示情報を含んだ標示情報は第一の標示情報を含んだ標示情報に更新される。
【発明の効果】
【００２１】
本発明では、記録媒体に記録する情報と一致する標示を行うことが可能となる。
【発明を実施するための最良の形態】
【００２２】
以下、本発明の実施形態として、記録媒体のラベルを印刷するラベル印刷装置について説明する。ラベル印刷装置は、例えば、ＣＤ，ＤＶＤなどの円盤状の記録媒体の情報記録面とは反対側のラベル面に、記録媒体が記録する情報（以下、コンテンツ）を示すラベルを印刷する装置である。
本発明のラベル印刷装置は、（１）記録媒体へのコンテンツ記録時に、コンテンツあるいはコンテンツの管理情報からラベル印刷のためのラベル情報を生成する機能（ラベル情報生成機能）、（２）生成された、あるいは記録されたラベル情報を用いてラベル印刷する機能（ラベル印刷機能）、（３）ラベル印刷のためのラベル情報を記録媒体あるいはラベル印刷装置の記憶部などに記録する機能（ラベル情報記録機能）、を備えている点に特徴を有している。
【００２３】
なお、ラベル印刷装置は、単独で印刷装置として用いられるものであってもよいが、ＣＤ，ＤＶＤなどの記録媒体への記録・再生を行う装置に備えられるものであってもよい。以下、記録媒体の記録再生装置において備えられるラベル印刷装置について説明を行う。
〈構成〉
図１に本発明の第１実施形態としての記録再生装置１０を示す。記録再生装置１０は、ＣＤ，ＤＶＤなどの記録媒体２０に対して、映像・音声などマルチメディア情報を記録・再生する装置である。記録再生装置１０は、装置全体の制御を司る制御部１１、記録媒体２０へのラベル印刷を行う印刷部１２、記録媒体２０に対して情報の記録・再生を行う記録再生部１３、例えばハードディスクなどで構成される記憶部１４、外部からマルチメディア情報やその管理情報などを取得する外部インターフェース（ＩＦ）１５、から主に構成されている。
【００２４】
制御部１１は、例えば、マイクロプロセッサと呼ばれる半導体チップなどで構成され、図示しないメモリ（例えば、ＲＡＭやＲＯＭなど）に記憶されたプログラムを実行する装置である。制御部１１は、記録再生装置１０としての基本的な機能を果たすためのプログラムを実行するとともに、本発明の特徴である（１）ラベル情報生成機能、（２）ラベル印刷機能、（３）ラベル情報記録機能などを果たすためのプログラムを実行する。プログラムの詳細については、後述するが、制御部１１は、記録再生装置１０の各部から受け取ったデータを演算・加工することによりこれらの機能を実現する。
印刷部１２は、印刷を実行する印刷機構１２ａと、印刷機構１２ａを駆動する印刷機構駆動部１２ｂとから構成される。印刷機構駆動部１２ｂは、ラベル印刷のためのラベル情報を取得し、印刷機構１２ａを駆動する。
【００２５】
ここで、印刷機構１２ａは、どのような方式のものであってもよい。例えば、印字ヘッドとして、インパクト方式を採用するものであってもよいし、ノンインパクト方式を採用するものであってもよい。さらに、ノンインパクト方式を採用する場合には、熱転写方式、インクジェット方式、レーザー方式のいずれの方式により印刷を行うものであってもよい。また、印字ヘッドの駆動方式としては、印字ヘッドが記録媒体上を直径方向に相対的に走査するとともに、走査方向に直交する方向に相対的に印字ヘッドが送られる方式（直交座標走査）であってもよいし、印字ヘッドが記録媒体上を半径方向に相対的に走査するとともに記録媒体の周方向に相対的に印字ヘッドが送られる方式（極座標走査）であってもよい。
記録再生部１３は、記録再生を実行する記録再生機構１３ａと、記録再生機構１３ａを駆動する記録再生機構駆動部１３ｂとから構成される。
【００２６】
記録再生機構１３ａは、主には、記録媒体駆動機構、光ピックアップ機構により構成される。記録媒体駆動機構は、シャーシ（図示せず）に装備されたスピンドルモータ（図示せず）により回転されるターンテーブル（図示せず）を備えている。ターンテーブルの中央には、記録媒体２０の装着時において、記録媒体２０の中心孔に着脱自在に嵌合しつつ、記録媒体２０の調芯を行う凸部が形成されている。光ピックアップ機構は、光ピックアップおよびその駆動機構を備え、ターンテーブルに装着されて所定の速度で回転される記録媒体２０の情報記録面側を、ディスクの径方向に移動する。光ピックアップ機構は、例えば、情報の再生を行う場合、記録媒体２０の情報記録面にレーザビームを照射し、検出された反射ビームを電気信号に変換するとともに、図示しないヘッドアンプでＲＦ信号を生成する。生成されたＲＦ信号は、記録再生機構駆動部１３ｂが備える信号処理回路（図示せず）で復調処理される。
【００２７】
記録再生機構駆動部１３ｂは、記録再生機構１３ａを駆動し、記憶部１４や外部ＩＦ１５を介して取得されるコンテンツやその管理情報を記録媒体２０に記録する。また、記録再生機構１３ａを駆動し、記録媒体２０に記録されている情報を再生する。
記憶部１４は、例えば、記録再生部１３や外部ＩＦ１５を介して取得されるコンテンツやその管理情報を記憶する装置であり、ハードディスクなどの大容量記憶装置により実現される。
外部ＩＦ１５は、無線あるいは有線により通信網と接続され、外部からコンテンツやその管理情報などを取得する装置や、放送を受信しコンテンツやその管理情報などを取得する装置などである。外部ＩＦ１５により取得されたデータは、記録再生部１３により記録媒体２０に記録することもできるし、記憶部１４に記録することもできる。
【００２８】
以上の構成において、記録再生装置１０は、記録媒体２０が格納するコンテンツを記録媒体２０上に標示する。制御部１１と印刷部１２とは、コンテンツを標示するためのラベル情報を取得する標示情報取得手段を構成する。印刷部１２は、ラベル情報を記録媒体２０上に標示する標示手段を構成する。また、制御部１１は、記録媒体２０に格納前のコンテンツを取得する格納情報取得手段を構成する。また、記録再生部１３は、記録媒体２０に格納済みのコンテンツを再生する再生手段を構成する。また、記録再生部１３、記憶部１４、外部ＩＦ１５などは、ラベル情報を記録媒体２０と対応付けて記録する記録手段を構成する。
〈作用〉
図１に示した構成において、制御部１１は、記録再生装置１０としての基本的な機能を果たすためのプログラムを実行し、記録再生部１３、記憶部１４、外部ＩＦ１５を動作させる。記録媒体２０や記憶部１４に対する情報の記録や再生については、従来と同様であるため、詳しい説明を省略する。以下では、本発明の特徴である（１）ラベル情報生成機能、（２）ラベル印刷機能、（３）ラベル情報記録機能などについて詳しく説明する。
【００２９】
（１）ラベル情報生成機能
まず、記録媒体２０へのコンテンツ記録時に、コンテンツあるいはコンテンツの管理情報からラベル印刷のためのラベル情報を生成する機能について説明する。なお、説明は、主には図１に基づいて行い、必要に応じて図２のフローチャートを参照する。
ユーザが記録媒体２０へのコンテンツの記録を図示しない入力部などにより指令すると、制御部１１は、記憶部１４が記憶するコンテンツまたは外部ＩＦ１５を介して取得されるコンテンツの記録媒体２０への記録を開始する（ステップＳ３１）。以下、説明の簡単化のため、記憶部１４が記憶するコンテンツが記録媒体２０へ記録される場合について説明するが、外部ＩＦ１５からコンテンツが取得される場合の処理も同様である。
制御部１１は、記憶部１４がコンテンツとともに記憶しているコンテンツの管理情報を取得する（ステップＳ３２）。コンテンツの管理情報とは、例えば、それぞれのコンテンツの内容を示す名前（番組名など）、コンテンツを示すサムネイル、などの情報であり、記録媒体２０にコンテンツが記録される場合には、ＴＯＣ（Ｔａｂｌｅ  Ｏｆ  Ｃｏｎｔｅｎｔｓ）として記録される内容などである。なお、外部ＩＦ１５からコンテンツが取得される場合には、コンテンツの管理情報は、ＥＰＧ（Ｅｌｅｃｔｒｉｃ  Ｐｒｏｇｒａｍ  Ｇｕｉｄｅ）から取得されてもよい。
【００３０】
次に、制御部１１は、取得した管理情報から印刷に適したラベル情報を生成する（ステップＳ３３）。このラベル情報は、例えば、管理情報を示す文字情報や画像情報などのマルチメディア情報と、マルチメディア情報を印刷するための属性情報とを含んでいる。属性情報とは、文字情報のフォント情報や、マルチメディア情報の印刷位置に関する情報を含んでいる。より具体的には、ラベル情報は、マークアップ言語で記述されていてもよい。
なお、生成されたラベル情報と記録されたコンテンツとが一致する限り、上記ラベル情報の生成は、コンテンツが記録媒体２０に記録される前に行われてもよいし、記録される途中に行われてもよいし、記録された後に行われてもよい。
（２）ラベル印刷機能
次に、（１）ラベル情報生成機能で生成されたラベル情報を用いてラベル印刷する機能について説明する。なお、説明は、主には図１に基づいて行い、必要に応じて図３のフローチャートや図４の説明図を参照する。
【００３１】
まず、制御部１１は、記録媒体２０の所定の領域を再生し、記録媒体２０に古いラベル情報が記録されているか否かを確認する（ステップＳ４１）。ここで、記録媒体２０に既にラベル印刷されている場合とは、後述する（３）ラベル情報記録機能により、記録媒体２０には既に印刷されている古いラベル情報が記録されているような場合のことである。
既に古いラベル情報が記録されている場合（図４（ａ）および（ａ'）参照）、制御部１１は、記録媒体２０から古いラベル情報を取得するとともに、（１）ラベル情報生成機能で生成したラベル情報を追加し、新しいラベル情報を生成する（ステップＳ４２および図４（ｂ）参照）。さらに、制御部１１は、印刷部１２を制御し、記録媒体２０に印刷されている古いラベルを消去する（ステップＳ４３および図４（ｃ）参照）。ここで、消去は、例えば、ラベル面全面をラベル面の背景色（例えば、白色）で塗りつぶすことにより行う。なお、消去方法は、これに限らず、例えば、ラベル面を加熱または冷却することにより印刷状態と消去状態を可逆変化させることが可能な場合には、ラベル面の特定箇所を加熱または冷却することにより印刷を消去してもよい。
【００３２】
さらに、印刷部１２は、制御部１１がステップＳ４２で生成した新しいラベル情報を取得し、ラベル印刷を行う（ステップＳ４４および図４（ｄ）参照）。
一方、ステップＳ４１の判断の結果、古いラベル情報が記録されていない場合、印刷部１２は、制御部１１がステップＳ３３（図２参照）で生成したラベル情報を取得し、ラベル印刷を行う（ステップＳ４４）。
なお、管理情報に対応するラベル情報をラベルに印刷してもよい。ここで、管理情報に対応するラベル情報とは、例えば、コンテンツのサイズ、再生時間、画質などである。
（３）ラベル情報記録機能
次に、（１）ラベル情報生成機能で生成されたラベル情報を記録媒体２０に記録する機能について説明する。なお、説明は、主には図１に基づいて行い、必要に応じて図５のフローチャートや図４の説明図を参照する。
【００３３】
制御部１１は、ステップＳ３３（図２参照）で生成したラベル情報を記録媒体２０の所定の領域に記録する（ステップＳ５１）。ここで、記録媒体２０に既に古いラベル情報が記録されている場合（図４（ａ'）参照）には、古いラベル情報に追記してステップＳ３３で生成したラベル情報を記録する（図４（ｄ'）参照）。
なお、ラベル情報の記録は、古いラベル情報が記録された領域に上書きされてもよい。
なお、ディスクの内周部などにラベル情報を記録するための専用領域が設けられていてもよい。専用領域が設けられていることにより、速やかにラベル情報を取得することができる。
ここで、ステップＳ３３で生成したラベル情報が用いられる限り、（３）ラベル情報記録機能の処理は、（２）ラベル印刷機能の処理の後に行われてもよいし、処理の前もしくは途中に行われてもよい。これにより、記録媒体２０の情報記録面に記録されるラベル情報と、ラベル印刷面に印刷されるラベル情報とが一致する。
【００３４】
〈効果〉
（１）ラベル情報生成機能について
記録再生装置１０では、コンテンツの記録に際して、コンテンツの管理情報からラベル情報を生成する。このため、記録されるコンテンツとラベル情報とを一致させることが可能となる。
（２）ラベル印刷機能について
記録再生装置１０では、ラベル情報を用いて、ラベル印刷を行う。ラベル情報は、記録媒体２０に記録されるコンテンツの管理情報から生成されている。このため、記録媒体２０に記録されるコンテンツとラベル印刷されたラベル情報とを一致させることが可能となる。
【００３５】
（３）ラベル情報記録機能について
記録再生装置１０では、生成されたラベル情報を記録媒体２０に記録する。すなわち、生成したラベル情報を記録媒体２０と対応付けて記録する。このため、記録媒体２０のコンテンツと一致するラベル情報を利用することが可能となる。例えば、記録再生装置１０以外の装置においても、記録媒体２０に記録されたラベル情報を利用してラベル印刷を行うことが可能となる。
〈変形例〉
上記実施形態は、本発明の一例であり、様々な変形が可能である。以下、それらの変形の一例を示す。
（１）ラベル情報生成機能について
（１−１）
ラベル情報を生成するためのコンテンツの管理情報は、記録媒体２０から取得されるものであってもよい。
【００３６】
具体的には、ＣＤ，ＤＶＤなどの光ディスクには、例えばそのリードイン領域において、ＴＯＣが記述されている。ＴＯＣは、ディスクの全トラックのアドレス、トラックナンバー、トラック時間、タイトルなどの情報を含んでいる。ＴＯＣは、コンテンツの記録終了処理の際にリードイン領域に記述される。
制御部１１は、記録媒体２０に対するコンテンツ及びコンテンツ管理情報の記録が終了すると、記録再生部１３にリードイン領域を再生させ、コンテンツの管理情報としてのＴＯＣを取得する。さらに、制御部１１は、ＴＯＣに記述されている情報にラベル印刷のための属性情報を付加し、ラベル情報を生成し、このラベル情報を用いて、ラベル印刷を行う。
本変形例では、既に記録媒体２０に記録されているコンテンツの管理情報を用いてラベル印刷を行うため、記録媒体２０に記録されているコンテンツとラベル印刷されたラベル情報とを一致させることが可能となる。
【００３７】
特に、記録媒体２０が追記できる記録媒体である場合には、新しく記録されるコンテンツだけでなく、既に記録されているコンテンツに対する管理情報もＴＯＣに含まれているため、より簡易な装置構成あるいは処理でラベル印刷をすることが可能となる。より具体的には、ＴＯＣを用いて生成されたラベル情報を用いたラベル印刷では、図３に示したステップＳ４１やステップＳ４２の処理を行わなくてもよい。
ここで、ラベル情報の生成について、さらに詳しく説明する。ラベル情報は、例えば、ページ記述言語と呼ばれる言語で表現されたデータなどであってもよい。この場合、制御部１１は、ＴＯＣに記述されているコンテンツのタイトルなどの情報を取得するとともに、それぞれのタイトルを印字するためのフォントを、デフォルトのフォント、あるいは逐次ユーザにより選択されたフォントに設定する。さらに、印刷すべきコンテンツのタイトルを、予め定めた領域に順次割り付ける。より具体的には、印刷すべきコンテンツのタイトルを、予め周方向に分割した複数の扇形領域に順次割り付ける。これにより、コンテンツ毎に、「タイトル」「フォント」「位置情報」を含むラベル情報を生成する。
【００３８】
制御部１１は、このように生成されたラベル情報を解析し、記録媒体２０上にラベル印刷される印刷イメージを生成する。さらに、この印刷イメージが印刷機構駆動部１２ｂに与えられ、ラベル印刷が行われる。
（１−２）
ラベル情報を生成するために記録媒体２０に記録されているコンテンツが用いられてもよい。
具体的には、例えば、記録媒体２０に映像情報が記録されている場合、トラック毎のサムネイルを取得し、ラベル情報としてもよい。このサムネイルは、例えば、各トラックの開始から所定時間経過後の画像（例えば、３０秒、１分、５分後の画像など）の縮小画像として自動により選択されてもよいし、手動により選択されてもよい。また、自動により選択される場合には、各トラックを特徴付ける特別な画像が選択されてもよい。特別な画像とは、例えば、スポーツ映像が記録されている場合には、得点シーンなどといった画像であり、音声を解析することやコンテンツに付されたタグ情報を解析することにより自動検出される。
【００３９】
また、トラック毎のサムネイルに対して画像処理を行うことにより、トラックのタイトルを抽出し、ラベル情報を生成してもよい。
本変形例では、記録媒体２０に記録されているコンテンツに基づいてラベル情報を生成するため、印刷されたラベル情報と記録されているコンテンツとを一致させることができる。また、サムネイルなどを印刷することで、よりユーザにとって認識しやすいラベルを印刷することが可能となる。
（１−３）
ラベル情報は、記憶部１４や外部ＩＦ１５を介して取得されるものであってもよい。
この場合、記憶部１４や外部ＩＦ１５を介して接続されるサーバなどには、記録媒体２０に固有の情報であるディスクＩＤと、ラベル情報とが関連づけられて記憶されている。
【００４０】
制御部１１は、記録再生装置１０に装着された記録媒体２０からディスクＩＤを取得し、さらにそのディスクＩＤに対応するラベル情報を記憶部１４や外部ＩＦ１５を介して取得する。また、記録媒体２０へ記録されるコンテンツに応じて、記憶部１４や外部ＩＦ１５に記憶されるラベル情報は更新されてもよい。
本変形例では、記録媒体２０に固有のディスクＩＤに対応したラベル情報を取得するため、記録媒体２０に記録されるコンテンツと一致するラベル情報を取得することが可能となる。
また、ラベル情報は、記録媒体２０上に設けられたＩＣタグに記憶されていてもよい。この場合、記録再生装置１０は、ＩＣタグに記憶された情報を取得し、取得した情報を制御部１１に与えるＩＣタグ通信部をさらに備えるものであってもよい。
【００４１】
（２）ラベル印刷機能について
（２−１）
上記実施形態では、制御部１１は、ラベル印刷前に既に印刷されているラベルを消去すると記載した（例えば、図３ステップＳ４３参照）。一方、制御部１１は、ラベル印刷の際に、既に印刷されているラベルに追加して新しいラベル情報を印刷してもよい。
この際、新しく印刷されるラベルが既に印刷されているラベルに重ならないよう調整することが求められる。このような調整には、《１》既にラベル情報が印刷されている位置を特定する手段と、《２》ラベル情報が印刷されていない箇所に印字ヘッドを位置決めする手段とが必要とされる。
具体的には、本変形例では、《１》ＴＯＣに基づいてラベル情報が印刷されている位置（されていない位置）を特定し、《２》記録再生機構１３ａの光ピックアップと印刷機構１２ａの印字ヘッドとの位置関係を予め規定することにより印字ヘッドを位置決めする。以下、これについて詳しく説明する。
【００４２】
《１》ラベル情報が印刷されている位置の特定について
既にラベル情報が印刷されている位置は、記録媒体２０のＴＯＣに基づいて判断される。これについて、図６を用いて説明する。
まず、制御部１１は、記録媒体２０へのコンテンツ記録前に、記録媒体２０のリードイン領域に記録されているＴＯＣを再生する（図６（ａ））。これにより、記録媒体２０が記録するそれぞれのコンテンツに対する管理情報が取得できる。例えば、図６（ａ）に示すように、記録媒体２０が記録するコンテンツＡとコンテンツＢとのタイトルなどが取得できる。
本変形例では、それぞれのコンテンツのラベル情報は、記録媒体２０のラベル面を複数に分割したそれぞれの領域（第１領域６１〜第ｎ領域６ｎ）に順次印刷されるとする。例えば、記録媒体２０にコンテンツＡとコンテンツＢとが記録されている場合、図６（ｂ）に示すように、コンテンツＡとコンテンツＢとを示すラベルは、ラベル面を複数に分割したそれぞれの領域に印刷されている。より具体的には、１番目のコンテンツＡは、第１領域６１に、２番目のコンテンツＢは、第２領域６２に、それぞれ印刷されている。
【００４３】
以上により、制御部１１は、記録媒体２０のＴＯＣに基づいて、第１領域６１と第２領域６２とにラベル情報が印刷されていると特定する。
《２》印字ヘッドの位置決めについて
さらに、この状態で記録媒体２０に対してコンテンツの記録が行われるとする。制御部１１は、記録媒体２０へのコンテンツ記録後に、記録媒体２０のリードイン領域に記録されているＴＯＣを再度再生する（図６（ａ））。例えば、記録媒体２０に対して３番目のコンテンツＣが追加的に記録されたとすると、ＴＯＣを再生することにより、記録媒体２０が記録するコンテンツＡとコンテンツＢとコンテンツＣとのタイトルなどが取得される。
制御部１１は、コンテンツの記録の前後におけるＴＯＣを比較し、コンテンツＣが新たに記録されたことを認識する。さらに、コンテンツＣが３番目のコンテンツであることを認識する。
【００４４】
そこで、制御部１１は、まだラベル情報が印刷されていない領域である第３領域６３に、コンテンツＣのラベル情報を印刷する。
ここで、記録再生装置１０では、印刷機構１２ａの印字ヘッドと記録再生機構１３ａの光ピックアップとの相対位置が規定されている。すなわち、印字ヘッドと光ピックアップとは同調して動作することが可能である。また、上記した第１領域６１〜第ｎ領域６ｎのそれぞれの位置は、情報記録面のアドレスもしくは情報記録面の任意の位置決め用のピットやマーカと関係づけられている。このため、光ピックアップの位置決め制御を行うことにより、印字ヘッドを上記した第１領域６１〜第ｎ領域６ｎに位置決め可能となっている。
以上により、制御部１１は、印字ヘッドを第３領域６３上に位置決めし、コンテンツＣのラベル情報を印刷することが可能となる。
【００４５】
（２−１の変形例）
〈１〉
なお、本変形例では、第１領域６１〜第ｎ領域６ｎは、周方向に並ぶ領域であるとしたが、径方向に並ぶ領域であってもよい。
〈２〉
なお、記録媒体２０の記録再生装置１０に対する相対回転位相を一定にした状態でラベル印刷を行うとしてもよい。この場合、ディスクのラベル面または情報記録面に位置決め用のマーカまたはピットが設けられており、このマーカまたはピットにより記録媒体２０の記録再生装置１０に対する相対回転位相を一定にすることが可能となる。これにより、より簡易な構成でラベル印刷を行うことが可能となる。
【００４６】
また、この位置決め用のマーカは、記録媒体２０上に設けられたＩＣタグにより実現されるものであってもよい。この場合、記録再生装置１０は、ＩＣタグと通信可能なＩＣタグ通信部をさらに備えてもよい。制御部１１は、ＩＣタグ通信部とＩＣタグとの相対位置（相対位相）を、通信時の電界強度などから判別し、位置決めを行うものであってもよい。より具体的には、ラベル印刷前に、制御部１１が記録媒体２０を回転させ、通信部とＩＣタグとの通信時の電界強度が最大となる向き（位相）を基準として、ラベル印刷を行うようにしてもよい。また、ＩＣタグ通信部とＩＣタグとの通信時の電界強度から記録媒体２０の向き（位相）を判定し、その向き（位相）に応じてラベル情報（印刷イメージ）を回転させてラベル印刷を行うようにしてもよい。なお、このＩＣタグは、上述のように、ラベル情報を格納するものであってもよい。
【００４７】
〈３〉
上記の説明では、ラベル情報は、必ずしも位置情報を含まないものであり、コンテンツのタイトルだけを含むものなどである。このような場合であっても、上述のように制御部１１は、コンテンツ記録前後のＴＯＣを比較することにより、追加されたコンテンツを認識し、追加されたコンテンツを印刷する領域を決定することができる。
しかし、ラベル情報は、記録媒体２０が記録するコンテンツ毎の「タイトル」「フォント」「位置情報」を含む情報であってもよい。これについて、図７を参照して説明する。
図７に示すのは、ページ記述言語などで表現されたラベル情報の一例である。ラベル情報は、記録媒体２０に記録されているコンテンツの「タイトル」、タイトルを印字するための「フォント」、タイトルを印字するための記録媒体２０上の「位置情報」を含んでおり、制御部１１とラベル情報をやりとりできる記憶手段（記録媒体２０、記録媒体２０上のＩＣタグ、記憶部１４、外部ＩＦ１５を介して接続される記録手段）のいずれかに記憶されている。
【００４８】
以下、記録媒体２０または記録媒体２０上のＩＣタグ（以下、記録媒体２０等という）に記憶されているものとして、ラベル情報の生成およびラベル印刷について説明を行う。
コンテンツ記録前、記録媒体２０上には、第１領域６１にコンテンツＡが、第２領域６２にコンテンツＢがそれぞれ印刷されているとする（図６（ｂ）参照）。この場合、記録媒体２０等に記憶されているラベル情報は、図７（ａ）に示すデータである。詳しくは、ラベル情報は、記録媒体２０が記憶するコンテンツ毎に、「タイトル」、「フォント」、「位置情報」を格納している。
制御部１１は、新たなコンテンツの記録が行われると、その「タイトル」をＴＯＣから取得する。より詳しくは、記録前に作業用メモリなどに取得しておいたＴＯＣと、記録後に作業用メモリなどに取得したＴＯＣとを比較し（図６（ａ）参照）、新たに記録されたコンテンツの「タイトル」を取得する。この処理により、図７（ｂ）に示すコンテンツＣのタイトル「Ｃ」が取得される。
【００４９】
さらに、その「タイトル」を印字するための「フォント」を、デフォルトのフォント、あるいは逐次ユーザにより選択されたフォントに設定する。ここでは、フォント「Ｆ１」が選択されたとする。
さらに、制御部１１は、既に記憶されているラベル情報（図７（ａ）参照）を記録媒体２０等から取得する。具体的には、既に記憶されているコンテンツＡおよびコンテンツＢの「位置情報」を取得する。さらに、制御部１１は、取得した「位置情報」に基づいて、記録媒体２０上の第１領域６１〜第ｎ領域６ｎのうち、空き領域（印刷が行われていない領域）を選択する。例えば、制御部１１は、既に記憶されている「位置情報」が示す番号（図７（ａ）では、［６１］、［６２］）の最大数に１を加えた数が示す領域を選択し、新たなコンテンツＣのラベル印刷を行う領域の「位置情報」とする。この処理により、図７（ｂ）に示すコンテンツＣの位置情報「６３」が選択される。
【００５０】
以上により、新たなコンテンツＣに対するラベル情報が、タイトル「Ｃ」、フォント「Ｆ１」、位置情報「６３」と決定され、このラベル情報が、ラベル印刷用のラベル情報となる。
制御部１１は、このラベル印刷用のラベル情報を用いて、印刷機構駆動部１２ｂを駆動し、「第３領域６３」に対して、コンテンツＣのタイトル「Ｃ」をフォント「Ｆ１」を用いて印刷する。
さらに制御部１１は、印刷後のラベル情報を生成する。具体的には、既に記憶されているラベル情報（図７（ａ）参照）に対して、作成された印刷用のラベル情報（図７（ｂ）参照）を加え、印刷後のラベル情報（図７（ｃ））を生成する。さらに制御部１１は、生成した印刷後のラベル情報を記憶媒体２０等に記憶する。
【００５１】
〈４〉
なお、コンテンツが削除される場合には、そのコンテンツのラベル情報を印刷していた領域を塗りつぶすあるいはラベル情報の上に他の図形を印刷するなどして、削除されたことが認識できるようにすることが望ましい。例えば、図８（ａ）〜（ｂ）に示すように、コンテンツＣが追加的に記録されるとともにコンテンツＡが削除された場合には、第１領域６１に印刷されていたコンテンツＡを示すラベル情報を取消線で消して標示することが好ましい。古いラベル情報を取消線で消した状態で残しておけば、ユーザが誤って記録媒体からあるデータを消去してしまっても、ハードディスクなどの記憶部にラベル情報及びコンテンツ情報が関連づけられて記憶されていれば、取消線で消された古いラベル情報を頼りにデータを回復することができる。
【００５２】
なお、このような場合に、ラベル情報は、〈３〉で記載したように、記録媒体２０が記録するコンテンツ毎の「タイトル」「フォント」「位置情報」を含む情報であってもよい。これについて、図９を参照して説明する。
図９に示すのは、ページ記述言語などで表現されたラベル情報の一例である。
コンテンツ記録前、記録媒体２０上には、第１領域６１にコンテンツＡが、第２領域６２にコンテンツＢがそれぞれ印刷されているとする（図８（ｂ）参照）。この場合、記録媒体２０等に記憶されているラベル情報は、図９（ａ）に示すデータである。詳しくは、ラベル情報は、コンテンツ毎に、「タイトル」、「フォント」、「位置情報」を格納している。
制御部１１は、コンテンツの削除が行われると、削除されたコンテンツの「タイトル」をＴＯＣから取得する。より詳しくは、削除前に作業用メモリなどに格納しておいたＴＯＣと、削除後に作業用メモリなどに格納したＴＯＣとを比較し、削除前のＴＯＣには含まれるが削除後のＴＯＣには含まれないコンテンツの「タイトル」を取得する。
【００５３】
さらに、制御部１１は、既に記憶されているラベル情報（図９（ａ）参照）を記録媒体２０等から取得する。ここで、制御部１１は、取得されたラベル情報のうち、削除されたコンテンツのラベル情報のみを作業用メモリに記憶する。
さらに、制御部１１は、作業用メモリに記憶したラベル情報の「タイトル」項目を、そのタイトルが削除されたことを標示する記号に置き換える。例えば、図９（ｂ）の記号「＝」のように、「取消線」を標示する記号に置き換える。これにより、制御部１１は、削除されたコンテンツに対するラベル印刷用のラベル情報を生成する。すなわち、削除されたコンテンツＡに対するラベル情報が、タイトル「取消線」、フォント「Ｆ１」、位置情報「６１」と決定される。
なお、図８（ａ）では、新たなコンテンツＣが記録されているが、この新たなコンテンツＣに対するラベル印刷用のラベル情報の生成については、〈３〉で記載したため説明を省略する。
【００５４】
以上の処理により、制御部１１は、削除されたコンテンツと新たに記録されたコンテンツとのラベル印刷用のラベル情報を生成する（図９（ｂ）参照）。
制御部１１は、このラベル印刷用のラベル情報を用いて、印刷機構駆動部１２ｂを駆動し、「第１領域６１」に「取消線」をフォント「Ｆ１」を用いて印刷する。この時「取消線」は、予め第１領域６１に印刷されていたコンテンツＡのタイトル「Ａ」に重ねて印刷される。また、制御部１１は、「第３領域６３」に、コンテンツＣのタイトル「Ｃ」をフォント「Ｆ１」を用いて印刷する。
さらに制御部１１は、印刷後のラベル情報を生成する。具体的には、既に記憶されているラベル情報（図９（ａ）参照）に対して、作成された印刷用のラベル情報（図９（ｂ）参照）を加え、印刷後のラベル情報（図９（ｃ））を生成する。生成されたラベル情報は、記憶媒体２０等に記憶される。ここで、削除されたコンテンツＡに関する印刷後のラベル情報では、「タイトル」の項目には、コンテンツＡのタイトル「Ａ」と「取消線」とが重ねて標示されていることを示す情報が格納される。
【００５５】
〈５〉
なお、ラベルが書き換えられる場合には、元々ラベル印刷されていた部分に上書きするようにラベル印刷がおこなわれてもよい。例えば、図８（ａ）に示すように、コンテンツＣが追加的に記録されるとともにコンテンツＡが削除された場合には、図１０に示すように、第１領域６１と第２領域６２に印刷されていたコンテンツＡとコンテンツＢとを示すラベル情報を、コンテンツＢとコンテンツＣとを示すラベル情報に上書きしてもよい。
なお、このような場合に、ラベル情報は、〈３〉で記載したように、記録媒体２０が記録するコンテンツ毎の「タイトル」「フォント」「位置情報」を含む情報であってもよい。これについて、図１１を参照して説明する。
図１１に示すのは、ページ記述言語などで表現されたラベル情報の一例である。
【００５６】
コンテンツ記録前、記録媒体２０上には、第１領域６１にコンテンツＡが、第２領域６２にコンテンツＢがそれぞれ印刷されているとする（図１０参照）。この場合、記録媒体２０等に記憶されているラベル情報は、図１１（ａ）に示すデータである。詳しくは、ラベル情報は、コンテンツ毎に、「タイトル」、「フォント」、「位置情報」を格納している。
制御部１１は、コンテンツの記録および削除（以下、記録等という）の前に作業用メモリにＴＯＣを格納しておくとともに、記録等の後にも作業用メモリにＴＯＣを格納する。制御部１１は、この記録等の後に取得したＴＯＣから、印刷用のラベル情報となる「タイトル」を取得する。具体的には、図８（ａ）に示すように、記録等の後には、コンテンツＢとコンテンツＣとが記録されているため、制御部１１は、ＴＯＣからタイトル「Ｂ」と「Ｃ」とを取得する。
【００５７】
さらに制御部１１は、その「タイトル」を印字するための「フォント」を、デフォルトのフォント、あるいは逐次ユーザにより選択されたフォントに設定する。ここでは、全ての「タイトル」に対して、フォント「Ｆ１」が選択されたとする。
さらに制御部１１は、記憶媒体２０等に記憶されているラベル情報（図１１（ａ）参照）から、既に印刷されている領域の「位置情報」を取得する。さらに制御部１１は、取得した「位置情報」が示す領域に対して、ＴＯＣから取得した「タイトル」を順次割り付ける。割り付けは、印刷済み領域に、記録等の後に記録されているコンテンツの「タイトル」が上書きされるように行われる。
この際、記録等の前後で記録されているコンテンツ数が同じ場合には、印刷済み領域の全ての「タイトル」項目が新しい「タイトル」に置換される。一方、記録等の前後で記録されているコンテンツ数が減少する場合には、印刷済み領域の一部の「タイトル」項目が新しい「タイトル」に置換されるとともに、印刷済み領域の他部の「タイトル」項目が、その領域の印字が消去されることを標示する記号（例えば、記録媒体２０の「背景色」が上書き印刷されることを示す記号）に置換される。また、記録等の前後で記録されているコンテンツ数が増加する場合には、印刷済み領域の全ての「タイトル」項目が新しい「タイトル」に置換されるとともに、残りの新しい「タイトル」には、印刷済み領域以外の空き領域が割り付けられる。この場合、空き領域の割り付けは、空き領域のうち「位置情報」が示す番号の小さいものから割付が行われる。
【００５８】
図１０に示す一例では、記録等の前後でコンテンツ数が同じであるため、制御部１１は、既に印刷されている領域（第１領域６１と第２領域６２）に、新しいタイトル「Ｂ」と「Ｃ」とを順次割り付ける。
以上により、印刷用のラベル情報が生成される（図１１（ｂ）参照）。
制御部１１は、このラベル印刷用のラベル情報を用いて、印刷機構駆動部１２ｂを駆動し、「第１領域６１」に対して、コンテンツＢのタイトル「Ｂ」をフォント「Ｆ１」を用いて印刷する。さらに、「第２領域６２」に対して、コンテンツＣのタイトル「Ｃ」をフォント「Ｆ１」を用いて印刷する。
さらに制御部１１は、印刷後のラベル情報を生成する。具体的には、ラベル印刷用のラベル情報から、「タイトル」に「背景色」を示すを格納するデータを削除することで、印刷後のラベル情報を生成する。図１１に示す例では、ラベル印刷用のラベル情報と印刷後のラベル情報とが一致している。生成したラベル情報は、記憶媒体２０等に記憶される。
【００５９】
〈６〉
なお、《１》ラベル情報が印刷されている位置を特定するために、ラベル面をスキャナにより取り込んで処理してもよい。具体的には、制御部１１は、スキャナにより取り込んだラベル面を、ＯＣＲ（Ｏｐｔｉｃａｌ  Ｃｈａｒａｃｔｏｒ  Ｒｅａｄｅｒ）処理し、文字情報や画像情報の位置を検出する。さらに、印刷部１２に対して、文字情報や画像情報が印刷されていない位置にラベル印刷させる。なお、この場合、スキャナにより取り込んだラベル面の画像をモニタなどの表示装置に表示し、ユーザが新しいラベル情報の印刷位置を指定してもよい。
（２−２）
上記実施形態では、ラベル印刷によるラベルの標示について説明したが、情報記録面において、ラベル情報を視認可能に標示してもよい。
【００６０】
記録媒体２０では、情報の記録の際、レーザービームの照射によって、情報記録面の物性が変化し、無数のピットが形成される。このため、情報が記録された箇所と記録されていない箇所とを識別可能であり、コンテンツが記録されていない半径領域にラベル情報を視認可能に標示することが可能である。
本変形例では、ラベル標示のための印刷部１２を備える必要が無く、より簡易な構成でラベル標示を行うことが可能となる。
（２−３）
上記実施形態において、ステップＳ４１では、記録媒体２０上にラベル情報が記録されているか否かを判断するとしたが、記憶部１４や外部ＩＦ１５を介して接続されるサーバなどにラベル情報が記録されているか否かを判断してもよい。
【００６１】
この場合、記憶部１４や外部ＩＦ１５を介して接続されるサーバには、記録媒体２０に固有のＩＤ（ディスクＩＤ）とラベル情報とが関連づけられて記録されている。
例えば、ラベル情報が印刷される場合には、記録媒体２０のディスクＩＤと関連付けられたラベル情報が、記憶部１４や外部ＩＦ１５を介して接続されるサーバなどから取得される。
これにより、記録媒体２０にラベル情報を記録するための領域を設けることなく、記録媒体２０に記録されるコンテンツと一致するラベル情報を利用することが可能となる。
（３）ラベル情報記録機能について
（３−１）
上記実施形態では、ラベル情報生成機能で生成されたラベル情報は、記録媒体２０に記録すると記載したが、記憶部１４や外部ＩＦ１５を介して接続されるサーバなどに記録してもよい。
【００６２】
この場合、記録媒体２０に固有のＩＤ（ディスクＩＤ）とラベル情報とが関連づけられて記録される。
（４）その他
（４−１）
上記実施形態では、記録媒体２０は、主にＣＤ，ＤＶＤなどの光ディスクであるとしたが、その他の記録媒体であってもよい。例えば、ＦＤ，ＰＤ，ＭＯなどであってもよい。特に、カートリッジに入っている記録媒体の場合には、カートリッジのラベル面に印刷を行ってもよい。
（４−２）
なお、記録再生装置１０は、上記実施形態で説明した（１）ラベル情報生成機能、（２）ラベル印刷機能、（３）ラベル情報記録機能の全ての機能を有している必要はなく、いずれかの機能のみを実現する装置であってもよい。
【産業上の利用可能性】
【００６３】
本発明にかかる標示方法、記録方法、標示装置、記録装置および記録媒体は、記録媒体に記録する情報と一致する標示を行うことが求められる分野において有用である。
【図面の簡単な説明】
【００６４】
【図１】記録再生装置の構成を示す構造説明図
【図２】ラベル情報生成機能について説明するフローチャート
【図３】ラベル印刷機能について説明するフローチャート
【図４】ラベル印刷機能について説明する説明図
【図５】ラベル情報記録機能について説明するフローチャート
【図６】ラベル印刷機能の変形例について説明する説明図
【図７】ラベル情報について説明する説明図
【図８】ラベル印刷機能の変形例について説明する説明図
【図９】ラベル情報について説明する説明図
【図１０】ラベル印刷機能の変形例について説明する説明図
【図１１】ラベル情報について説明する説明図
【符号の説明】
【００６５】
１０    記録再生装置
１１    制御部
１２    印刷部
１２ａ  印刷機構
１２ｂ  印刷機構駆動部
１３    記録再生部
１３ａ  記録再生機構
１３ｂ  記録再生機構駆動部
１４    記憶部
１５    外部インターフェース
２０    記録媒体
６１    第１領域
６２    第２領域
６３    第３領域
【手続補正３】
【補正対象書類名】図面
【補正対象項目名】全図
【補正方法】変更
【補正の内容】
【図１】
2006070622.tif 000013
【図２】
2006070622.tif 000014
【図３】
2006070622.tif 000015
【図４】
2006070622.tif 000016
【図５】
2006070622.tif 000017
【図６】
2006070622.tif 000018
【図７】
2006070622.tif 000019
【図８】
2006070622.tif 000020
【図９】
2006070622.tif 000021
【図１０】
2006070622.tif 000022
【図１１】
2006070622.tif 000023
【国際調査報告】
2006070622.tif 000024
2006070622.tif 000025
2006070622.tif 000026
2006070622.tif 000027
2006070622.tif 000028
2006070622.tif 000029